(57)【要約】  ワイヤレス通信デバイスを動作させる方法が、ハイブリッド自動再送要求（ＨＡＲＱ）確認応答（ＨＡＲＱ−ＡＣＫ）ビットと一緒にチャネル状態情報（ＣＳＩ）ビットをチャネル符号化することと、一緒に符号化されたＣＳＩおよびＨＡＲＱ−ＡＣＫビットを符号化されたデータビットとともに多重化することと、多重化された、符号化されたＣＳＩおよびＨＡＲＱ−ＡＣＫビットならびに符号化されたデータビットを物理アップリンク共有チャネル（ＰＵＳＣＨ）で送信することとを含む。【選択図】図１
2019523574.tif 000002
【特許請求の範囲】
【請求項１】
ワイヤレス通信デバイス（１１０）を動作させる方法であって、
ハイブリッド自動再送要求（ＨＡＲＱ）確認応答（ＨＡＲＱ−ＡＣＫ）ビットと一緒にチャネル状態情報（ＣＳＩ）ビットをチャネル符号化すること（１４０２）と、
前記一緒に符号化されたＣＳＩおよびＨＡＲＱ−ＡＣＫビットを符号化されたデータビットとともに多重化すること（１４０４）と、
前記多重化された、符号化されたＣＳＩおよびＨＡＲＱ−ＡＣＫビットならびに符号化されたデータビットを、物理アップリンク共有チャネル（ＰＵＳＣＨ）で送信すること（１４０６）と
を含む、方法。
【請求項２】
前記ＣＳＩビットが、チャネル品質指示（ＣＱＩ）ビットを含む、請求項１に記載の方法。
【請求項３】
前記ＣＳＩビットを前記ＨＡＲＱ−ＡＣＫビットと一緒にチャネル符号化することが、
結合系列を生成するためにチャネル品質ビットの系列の終わりにＨＡＲＱ−ＡＣＫビットの系列を付加することと、
前記結合系列をチャネル符号化することと
を含む、請求項１または２に記載の方法。
【請求項４】
前記一緒に符号化されたＣＳＩおよびＨＡＲＱ−ＡＣＫビットを符号化されたデータビットとともに多重化することが、
前記一緒に符号化されたＣＳＩおよびＨＡＲＱ−ＡＣＫビットを、前記ＰＵＳＣＨにおいてリソースエレメントの第１のセットで送信するために割り当て、その後前記ＰＵＳＣＨにおいてリソースエレメントの第２のセットで送信するために前記符号化されたデータビットを割り当てることを含み、ただし、リソースエレメントの前記第１および第２のセットが、同じリソースエレメントのいずれも含まない、請求項１から３のいずれか一項に記載の方法。
【請求項５】
前記割り当てることが、前記符号化されたＣＳＩおよびＨＡＲＱ−ＡＣＫビットがリソースエレメントの前記第１のセットに割り当てられ、前記符号化されたデータビットがリソースエレメントの前記第２のセットに割り当てられるように、前記符号化されたＣＳＩおよびＨＡＲＱ−ＡＣＫビットを前記符号化されたデータビットとともにインターリーブすることを含む、請求項４に記載の方法。
【請求項６】
前記インターリーブすることが、ＨＡＲＱ−ＡＣＫビットがないものとして扱われるチャネルインターリービング手順を行うことを含む、請求項５に記載の方法。
【請求項７】
無線ネットワークノードから、前記割当てが行われるべきであることを示す上位レイヤシグナリングを受信することと、
前記上位レイヤシグナリングに応答して前記割当てを行うことと
をさらに含む、請求項４に記載の方法。
【請求項８】
前記多重化することが、物理ダウンリンク制御チャネル（ＰＤＣＣＨ）または拡張物理ダウンリンク制御チャネル（ｅＰＤＣＣＨ）シグナリングによってトリガされる、請求項１から４のいずれか一項に記載の方法。
【請求項９】
ＨＡＲＱ−ＡＣＫビットまたは符号化されたＨＡＲＱ−ＡＣＫビットの数が、しきい値よりも大きいかどうかを決定することと、
前記決定の結果として、ＨＡＲＱ−ＡＣＫビットを前記ＣＳＩビットと一緒に前記チャネル符号化することを行うことと
をさらに含む、請求項１から８のいずれか一項に記載の方法。
【請求項１０】
前記しきい値が２２である、請求項９に記載の方法。
【請求項１１】
ワイヤレス通信デバイス（１１０）であって、
ハイブリッド自動再送要求（ＨＡＲＱ）確認応答（ＨＡＲＱ−ＡＣＫ）ビットと一緒にチャネル状態情報（ＣＳＩ）ビットをチャネル符号化することと、
前記一緒に符号化されたＣＳＩおよびＨＡＲＱ−ＡＣＫビットを符号化されたデータビットとともに多重化することと、
前記多重化された、符号化されたＣＳＩおよびＨＡＲＱ−ＡＣＫビットならびに符号化されたデータビットを、物理アップリンク共有チャネル（ＰＵＳＣＨ）で送信することと
を行うように集合的に設定された、少なくとも１つのメモリ（３３０）、少なくとも１つのプロセッサ（３２０）、および少なくとも１つのトランシーバ（３１０）
を含む、ワイヤレス通信デバイス。
【請求項１２】
前記ＣＳＩビットが、チャネル品質指示（ＣＱＩ）ビットを含む、請求項１１に記載のワイヤレス通信デバイス。
【請求項１３】
前記ＣＳＩビットを前記ＨＡＲＱ−ＡＣＫビットと一緒にチャネル符号化することが、
結合系列を生成するためにチャネル品質ビットの系列の終わりにＨＡＲＱ−ＡＣＫビットの系列を付加することと、
前記結合系列をチャネル符号化することと
を含む、請求項１１または１２に記載のワイヤレス通信デバイス。
【請求項１４】
前記一緒に符号化されたＣＳＩおよびＨＡＲＱ−ＡＣＫビットを符号化されたデータビットとともに多重化することが、
前記一緒に符号化されたＣＳＩおよびＨＡＲＱ−ＡＣＫビットを、前記ＰＵＳＣＨにおいてリソースエレメントの第１のセットで送信するために割り当てることと、その後、前記ＰＵＳＣＨにおいてリソースエレメントの第２のセットで送信するために前記符号化されたデータビットを割り当てることとを含み、ただし、リソースエレメントの前記第１および第２のセットが、同じリソースエレメントのいずれも含まない、請求項１１から１３のいずれか一項に記載のワイヤレス通信デバイス。
【請求項１５】
前記割り当てることが、前記符号化されたＣＳＩおよびＨＡＲＱ−ＡＣＫビットがリソースエレメントの前記第１のセットに割り当てられ、前記符号化されたデータビットがリソースエレメントの前記第２のセットに割り当てられるように、前記符号化されたＣＳＩおよびＨＡＲＱ−ＡＣＫビットを前記符号化されたデータビットとともにインターリーブすることを含む、請求項１４に記載のワイヤレス通信デバイス。
【請求項１６】
前記インターリーブすることが、ＨＡＲＱ−ＡＣＫビットがないものとして扱われるチャネルインターリービング手順を行うことを含む、請求項１５に記載のワイヤレス通信デバイス。
【請求項１７】
前記少なくとも１つのメモリ（３３０）、少なくとも１つのプロセッサ（３２０）、および少なくとも１つのトランシーバ（３１０）が集合的に、無線ネットワークノードから、前記割当てが行われるべきであることを示す上位レイヤシグナリングを受信し、前記上位レイヤシグナリングに応答して前記割当てを行うように、さらに集合的に設定される、請求項１４に記載のワイヤレス通信デバイス。
【請求項１８】
前記多重化することが、物理ダウンリンク制御チャネル（ＰＤＣＣＨ）または拡張物理ダウンリンク制御チャネル（ｅＰＤＣＣＨ）シグナリングによってトリガされる、請求項１１から１４のいずれか一項に記載のワイヤレス通信デバイス。
【請求項１９】
前記少なくとも１つのメモリ（３３０）、少なくとも１つのプロセッサ（３２０）、および少なくとも１つのトランシーバ（３１０）が、ＨＡＲＱ−ＡＣＫビットまたは符号化されたＨＡＲＱ−ＡＣＫビットの数がしきい値よりも大きいかどうかを決定し、前記決定の結果として前記ＣＳＩビットと一緒にＨＡＲＱ−ＡＣＫビットを前記チャネル符号化することを行うように、さらに集合的に設定される、
請求項１１から１８のいずれか一項に記載のワイヤレス通信デバイス。
【請求項２０】
前記しきい値が２２である、請求項１９に記載のワイヤレス通信デバイス。
【請求項２１】
ワイヤレス通信デバイスを動作させる方法であって、
符号化されたハイブリッド自動再送要求（ＨＡＲＱ）確認応答（ＨＡＲＱ−ＡＣＫ）ビット、符号化されたＣＳＩビット、および符号化されたデータビットを多重化することであって、前記多重化することが、前記ＣＳＩビットを物理アップリンク共有チャネル（ＰＵＳＣＨ）においてリソースエレメントの第１のセットで送信するために割り当て、その後前記符号化されたＨＡＲＱ−ＡＣＫビットおよび符号化されたデータビットを前記ＰＵＳＣＨにおいてリソースエレメントのそれぞれの第２および第３のセットで送信するために割り当てることを含み、ただし、リソースエレメントの前記第１、第２、および第３のセットが、同じリソースエレメントのいずれも含まない、多重化することと、
前記多重化された、符号化されたＨＡＲＱ−ＡＣＫビット、符号化されたＣＳＩビット、および符号化されたデータビットを、前記ＰＵＳＣＨで送信することと
を含む、方法。
【請求項２２】
前記多重化することが、前記ＣＳＩビットを前記ＰＵＳＣＨにおいてリソースエレメントの前記第１のセットで送信するために割り当て、その後前記符号化されたＨＡＲＱ−ＡＣＫビットを前記ＰＵＳＣＨにおいてリソースエレメントの前記第２のセットで送信するために割り当て、その後前記符号化されたデータビットを前記ＰＵＳＣＨにおいてリソースエレメントの前記第３のセットで送信するために割り当てることを含む、請求項２１に記載の方法。
【請求項２３】
前記多重化することが、前記ＣＳＩビットを前記ＰＵＳＣＨにおいてリソースエレメントの前記第１のセットで送信するために割り当て、その後前記符号化されたデータビットを前記ＰＵＳＣＨにおいてリソースエレメントの前記第３のセットで送信するために割り当て、その後前記符号化されたＨＡＲＱ−ＡＣＫビットを前記ＰＵＳＣＨにおいてリソースエレメントの前記第２のセットで送信するために割り当てることを含む、請求項２１に記載の方法。
【請求項２４】
前記多重化することが、前記符号化されたＣＳＩビット、それに続く前記ＨＡＲＱ−ＡＣＫビット、それに続く前記符号化されたデータビットを含む、インターリーバのための入力を設定することをさらに含む、請求項２２に記載の方法。
【請求項２５】
前記多重化することが、前記符号化されたＣＳＩビット、それに続く前記符号化されたデータビット、それに続く前記ＨＡＲＱ−ＡＣＫビットを含む、インターリーバのための入力を設定することをさらに含む、請求項２３に記載の方法。
【請求項２６】
無線ネットワークノードから、前記割当てが行われるべきであることを示す上位レイヤシグナリングを受信することと、
前記上位レイヤシグナリングに応答して前記多重化を行うことと
をさらに含む、請求項２１に記載の方法。
【請求項２７】
前記上位レイヤシグナリングが、無線リソース制御（ＲＲＣ）シグナリングを含む、請求項２６に記載の方法。
【請求項２８】
前記多重化することが、物理ダウンリンク制御チャネル（ＰＤＣＣＨ）または拡張物理ダウンリンク制御チャネル（ｅＰＤＣＣＨ）シグナリングによってトリガされる、請求項２１に記載の方法。
【請求項２９】
ＨＡＲＱ−ＡＣＫビットまたは符号化されたＨＡＲＱ−ＡＣＫビットの数がしきい値よりも大きいかどうかを決定することと、前記決定の結果として前記多重化を行うことと
をさらに含む、請求項２１から２８のいずれか一項に記載の方法。
【請求項３０】
前記しきい値が２２である、請求項２９に記載の方法。
【請求項３１】
ワイヤレス通信デバイス（１１０）であって、
符号化されたハイブリッド自動再送要求（ＨＡＲＱ）確認応答（ＨＡＲＱ−ＡＣＫ）ビット、符号化されたＣＳＩビット、および符号化されたデータビットを多重化することであって、前記多重化することが、前記ＣＳＩビットを物理アップリンク共有チャネル（ＰＵＳＣＨ）においてリソースエレメントの第１のセットで送信するために割り当て、その後前記符号化されたＨＡＲＱ−ＡＣＫビットおよび符号化されたデータビットを前記ＰＵＳＣＨにおいてリソースエレメントのそれぞれの第２および第３のセットで送信するために割り当てることを含み、ただし、リソースエレメントの前記第１、第２、および第３のセットが、同じリソースエレメントのいずれも含まない、多重化することと、
前記多重化された、符号化されたＨＡＲＱ−ＡＣＫビット、符号化されたＣＳＩビット、および符号化されたデータビットを、物理アップリンク共有チャネル（ＰＵＳＣＨ）で送信することと
を行うように集合的に設定された、少なくとも１つのメモリ（３３０）、少なくとも１つのプロセッサ（３２０）、および少なくとも１つのトランシーバ（３１０）
を含む、ワイヤレス通信デバイス。
【請求項３２】
前記多重化することが、前記ＣＳＩビットを前記ＰＵＳＣＨにおいてリソースエレメントの前記第１のセットで送信するために割り当て、その後前記符号化されたＨＡＲＱ−ＡＣＫビットを前記ＰＵＳＣＨにおいてリソースエレメントの前記第２のセットで送信するために割り当て、その後前記符号化されたデータビットを前記ＰＵＳＣＨにおいてリソースエレメントの前記第３のセットで送信するために割り当てることを含む、請求項３１に記載のワイヤレス通信デバイス。
【請求項３３】
前記多重化することが、前記ＣＳＩビットを前記ＰＵＳＣＨにおいてリソースエレメントの前記第１のセットで送信するために割り当て、その後前記符号化されたデータビットを前記ＰＵＳＣＨにおいてリソースエレメントの前記第３のセットで送信するために割り当て、その後前記符号化されたＨＡＲＱ−ＡＣＫビットを前記ＰＵＳＣＨにおいてリソースエレメントの前記第２のセットで送信するために割り当てることを含む、請求項３１に記載のワイヤレス通信デバイス。
【請求項３４】
前記多重化することが、前記符号化されたＣＳＩビット、それに続く前記ＨＡＲＱ−ＡＣＫビット、それに続く前記符号化されたデータビットを含む、インターリーバのための入力を設定することをさらに含む、請求項３２に記載のワイヤレス通信デバイス。
【請求項３５】
前記多重化することが、前記符号化されたＣＳＩビット、それに続く前記符号化されたデータビット、それに続く前記ＨＡＲＱ−ＡＣＫビットを含む、インターリーバのための入力を設定することをさらに含む、請求項３３に記載のワイヤレス通信デバイス。
【請求項３６】
無線ネットワークノードから、前記割当てが行われるべきであることを示す上位レイヤシグナリングを受信することと、
前記上位レイヤシグナリングに応答して前記多重化を行うことと
をさらに含む、請求項３１に記載のワイヤレス通信デバイス。
【請求項３７】
前記上位レイヤシグナリングが、無線リソース制御（ＲＲＣ）シグナリングを含む、請求項３６に記載のワイヤレス通信デバイス。
【請求項３８】
前記多重化することが、物理ダウンリンク制御チャネル（ＰＤＣＣＨ）または拡張物理ダウンリンク制御チャネル（ｅＰＤＣＣＨ）シグナリングによってトリガされる、請求項３１に記載のワイヤレス通信デバイス。
【請求項３９】
前記少なくとも１つのメモリ（３３０）、少なくとも１つのプロセッサ（３２０）、および少なくとも１つのトランシーバ（３１０）が、ＨＡＲＱ−ＡＣＫビットまたは符号化されたＨＡＲＱ−ＡＣＫビットの数がしきい値よりも大きいかどうかを決定し、前記決定の結果として前記多重化を行うように集合的に設定される、請求項３１から３８のいずれか一項に記載のワイヤレス通信デバイス。
【請求項４０】
前記しきい値が２２である、請求項３９に記載のワイヤレス通信デバイス。
【請求項４１】
ワイヤレス通信デバイス（１１０）を動作させる方法であって、
符号化されたランクインジケータ（ＲＩ）ビット、ハイブリッド自動再送要求（ＨＡＲＱ）確認応答（ＨＡＲＱ−ＡＣＫ）ビット、符号化されたチャネル状態情報（ＣＳＩ）ビット、および符号化されたデータビットを多重化することであって、前記多重化することが、前記ＲＩビットを物理アップリンク共有チャネル（ＰＵＳＣＨ）においてリソースエレメントの第１のセットで送信するために割り当て、その後前記ＣＳＩビットおよび符号化されたデータビットを前記ＰＵＳＣＨにおいてリソースエレメントの第２のセットで送信するために、かつ前記符号化されたＨＡＲＱ−ＡＣＫビットを前記ＰＵＳＣＨにおいてリソースエレメントの第３のセットで送信するために割り当てることを含み、ただし、リソースエレメントの前記第１、第２、および第３のセットが、同じリソースエレメントのいずれも含まない、多重化することと、
前記多重化された、符号化されたＲＩビット、符号化されたＨＡＲＱ−ＡＣＫビット、符号化されたＣＳＩビット、および符号化されたデータビットを、前記ＰＵＳＣＨで送信することと
を含む、方法。
【請求項４２】
前記多重化することが、前記符号化されたＲＩビット、それに続く前記符号化されたＣＳＩおよびデータビット、それに続く前記ＨＡＲＱ−ＡＣＫビットを含む、インターリーバのための入力を設定することをさらに含む、請求項４１に記載の方法。
【請求項４３】
無線ネットワークノードから、前記割当てが行われるべきであることを示す上位レイヤシグナリングを受信することと、
前記上位レイヤシグナリングに応答して前記多重化を行うことと
をさらに含む、請求項４１に記載の方法。
【請求項４４】
前記上位レイヤシグナリングが、無線リソース制御（ＲＲＣ）シグナリングを含む、請求項４３に記載の方法。
【請求項４５】
前記多重化することが、物理ダウンリンク制御チャネル（ＰＤＣＣＨ）または拡張物理ダウンリンク制御チャネル（ｅＰＤＣＣＨ）シグナリングによってトリガされる、請求項４１に記載の方法。
【請求項４６】
ＨＡＲＱ−ＡＣＫビットまたは符号化されたＨＡＲＱ−ＡＣＫビットの数がしきい値よりも大きいかどうかを決定することと、前記決定の結果として前記多重化を行うこととをさらに含む、請求項４１から４５のいずれか一項に記載の方法。
【請求項４７】
前記しきい値が２２である、請求項４６に記載の方法。
【請求項４８】
ワイヤレス通信デバイス（１１０）であって、
符号化されたランクインジケータ（ＲＩ）ビット、ハイブリッド自動再送要求（ＨＡＲＱ）確認応答（ＨＡＲＱ−ＡＣＫ）ビット、符号化されたチャネル状態情報（ＣＳＩ）ビット、および符号化されたデータビットを多重化することであって、前記多重化することが、前記ＲＩビットを物理アップリンク共有チャネル（ＰＵＳＣＨ）においてリソースエレメントの第１のセットで送信するために割り当て、その後前記ＣＳＩビットおよび符号化されたデータビットを前記ＰＵＳＣＨにおいてリソースエレメントの第２のセットで送信するために、かつ前記符号化されたＨＡＲＱ−ＡＣＫビットを前記ＰＵＳＣＨにおいてリソースエレメントの第３のセットで送信するために割り当てることを含み、ただし、リソースエレメントの前記第１、第２、および第３のセットが、同じリソースエレメントのいずれも含まない、多重化することと、
前記多重化された、符号化されたＲＩビット、符号化されたＨＡＲＱ−ＡＣＫビット、符号化されたＣＳＩビット、および符号化されたデータビットを、前記ＰＵＳＣＨで送信することと
を行うように集合的に設定された、少なくとも１つのメモリ（３３０）、少なくとも１つのプロセッサ（３２０）、および少なくとも１つのトランシーバ（３１０）
を含む、ワイヤレス通信デバイス。
【請求項４９】
前記多重化することが、前記符号化されたＲＩビット、それに続く前記符号化されたＣＳＩおよびデータビット、それに続く前記ＨＡＲＱ−ＡＣＫビットを含む、インターリーバのための入力を設定することをさらに含む、請求項４８に記載のワイヤレス通信デバイス。
【請求項５０】
前記少なくとも１つのメモリ（３３０）、少なくとも１つのプロセッサ（３２０）、および少なくとも１つのトランシーバ（３１０）が、
無線ネットワークノードから、前記割当てが行われるべきであることを示す上位レイヤシグナリングを受信し、
前記上位レイヤシグナリングに応答して前記多重化を行う
ようにさらに集合的に設定される、請求項４８に記載のワイヤレス通信デバイス。
【請求項５１】
前記上位レイヤシグナリングが、無線リソース制御（ＲＲＣ）シグナリングを含む、請求項５０に記載のワイヤレス通信デバイス。
【請求項５２】
前記多重化することが、物理ダウンリンク制御チャネル（ＰＤＣＣＨ）または拡張物理ダウンリンク制御チャネル（ｅＰＤＣＣＨ）シグナリングによってトリガされる、請求項４８に記載のワイヤレス通信デバイス。
【請求項５３】
前記少なくとも１つのメモリ（３３０）、少なくとも１つのプロセッサ（３２０）、および少なくとも１つのトランシーバ（３１０）が、ＨＡＲＱ−ＡＣＫビットまたは符号化されたＨＡＲＱ−ＡＣＫビットの数がしきい値よりも大きいかどうかを決定し、前記決定の結果として前記多重化を行うように、さらに集合的に設定される、請求項４８から５２のいずれか一項に記載のワイヤレス通信デバイス。
【請求項５４】
前記しきい値が２２である、請求項５３に記載のワイヤレス通信デバイス。
【発明の詳細な説明】
【技術分野】
【０００１】
関連出願の相互参照
本出願は、２０１６年５月１３日に出願された米国仮特許出願第６２／３３６，１１６号に基づく優先権を主張し、その主題は、その全体が参照により本明細書に組み込まれる。
【０００２】
開示する主題は、一般的に電気通信に関する。いくつかの実施形態は、より詳細には、物理アップリンク共有チャネル（ＰＵＳＣＨ）におけるハイブリッド自動再送要求（ＨＡＲＱ）確認応答（ＨＡＲＱ−ＡＣＫ）多重化手順を行うための方法および装置に関する。
【背景技術】
【０００３】
ロングタームエボリューション（ＬＴＥ）は、ダウンリンクにおいて直交周波数分割多重（ＯＦＤＭ）を、アップリンクにおいて離散フーリエ変換（ＤＦＴ）拡散ＯＦＤＭ（シングルキャリアＦＤＭＡ（ＳＣ−ＦＤＭＡ）とも呼ばれる）を使用する。図（ＦＩＧ．）１は、ＬＴＥダウンリンク物理リソースの１つのタイプを示す。ＬＴＥダウンリンク物理リソースは、時間−周波数のグリッドとして見ることができ、各リソースエレメントが、１つのＯＦＤＭシンボル間隔中の１つのＯＦＤＭサブキャリアに対応する。
【０００４】
図２は、ＬＴＥ時間領域構造を示す。時間領域において、ＬＴＥダウンリンク送信は、図示の例示的な実施形態では、１０ｍｓの無線フレームに編成され、各無線フレーム２１０が、長さＴｓｕｂｆｒａｍｅ＝１ｍｓの１０個の等しいサイズのサブフレームからなる。
【０００５】
ＬＴＥシステムでは、送信信頼性を高めるために、ＨＡＲＱプロトコルが使用される。図３は、ＬＴＥにおけるＨＡＲＱ動作を示す。図示のように、最初の送信が受信機によって正しく受信されないとき、受信機はソフトバッファに受信信号を記憶し、そのような不成功の送信を送信機に信号で伝える。送信機は、次いで、同じチャネル符号化されたビットまたは異なるチャネル符号化されたビットを使用して、（ＬＴＥ規格ではトランスポートブロックと呼ばれる）情報を再送信することができる。受信機は、次いで、再送信信号を、ソフトバッファに記憶された信号と結合することができる。そのような信号の結合は、送信の信頼性を大いに高める。
【０００６】
ＬＴＥでは、ＡＣＫ／ＮＡＫフィードバックは一般的に、ＵＥが同時に物理アップリンク共有チャネル（ＰＵＳＣＨ）を送信しているかどうかに応じて、ＵＥが２つの手法のうちの一方を使用することによって送られる。
・  ＵＥが同時にＰＵＳＣＨを送信していない場合、ＡＣＫ／ＮＡＫフィードバックは物理アップリンク制御チャネル（ＰＵＣＣＨ）により送られる。
・  ＵＥが同時にＰＵＳＣＨを送信している場合、ＡＣＫ／ＮＡＫフィードバックはＰＵＳＣＨにより送られる。
【０００７】
Ｒｅｌ−１０で導入され、Ｒｅｌ−１１で強化されたＬＴＥキャリアアグリゲーション（ＣＡ）を使用すると、複数のキャリアからの無線リソースを統合する（aggregate）ことによって、ピークデータレート、システム容量、およびユーザエクスペリエンスを増やす手段がもたらされ、複数のキャリアは、同じ帯域または異なる帯域にあってもよく、バンド間ＴＤＤ  ＣＡの場合は異なるＵＬ／ＤＬ設定で設定されてもよい。Ｒｅｌ−１２では、ＴＤＤサービングセルとＦＤＤサービングセルとの間のキャリアアグリゲーションが導入されて、ＵＥがそれらに同時に接続するのを支援する。
【０００８】
現在まで、ＬＴＥによって使用されるスペクトルは、ＬＴＥに専用である。これは、ＬＴＥシステムが共存問題に注意を払う必要がなく、スペクトル効率を最大化することができるという利点を有する。しかしながら、ＬＴＥに割り振られるスペクトルは限られており、アプリケーション／サービスからのより大きいスループットを求める増え続ける需要に応じることができない。したがって、ライセンススペクトルに加えてアンライセンススペクトルを活用するためにＬＴＥを拡張することについて、新しい検討項目が３ＧＰＰにおいて実行された。
【０００９】
「ライセンス補助アクセス」（ＬＡＡ）についての３ＧＰＰの取組みは、ＬＴＥ機器がアンライセンス無線スペクトルにおいても動作できるようにしようとする。アンライセンススペクトルでのＬＴＥ動作のための候補帯域は、５ＧＨｚ、３．５ＧＨｚなどを含む。アンライセンススペクトルは、ライセンススペクトルを補うものとして使用されるか、または完全なスタンドアロン動作を可能にする。
【００１０】
図４は、ＬＴＥキャリアアグリゲーションを使用したアンライセンススペクトルでのＬＡＡを示す。アンライセンススペクトルでのＬＡＡは、ＵＥがライセンス帯域のＰＣｅｌｌおよびアンライセンス帯域の１つまたは複数のＳＣｅｌｌに接続されることを意味する。本明細書では、アンライセンススペクトルのセカンダリセルが、ＬＡＡセカンダリセル（ＬＡＡ  ＳＣｅｌｌ）と呼ばれる。ＬＡＡ  ＳＣｅｌｌは、ＤＬ専用モードで動作する、またはＵＬとＤＬトラフィックの両方で動作する場合がある。さらに、将来のシナリオでは、ＬＴＥノードは、ライセンスセルからの補助なしで、ライセンス免除チャネルにおいてスタンドアロンモードで動作してもよい。アンライセンススペクトルは、定義では、複数の異なる技術によって同時に使用され得る。したがって、上記で説明したＬＡＡは、ＩＥＥＥ  ８０２．１１（Ｗｉ−Ｆｉ）などの他のシステムとの共存を考慮する必要がある。
【００１１】
Ｗｉ−Ｆｉシステムと公平に共存するために、ＳＣｅｌｌでの送信は、衝突、および進行中の送信への著しい干渉を引き起こすことを回避するためにＬＢＴプロトコルに従う。これは、送信を開始する前にＬＢＴを行うことと、単一の送信バーストの最大継続時間を制限することの両方を含む。最大送信バースト継続時間は、国および領域固有の規定によって指定され、たとえば、日本では４ｍｓ、ＥＮ  ３０１．８９３によれば１３ｍｓである。
【００１２】
３ＧＰＰフォーラムにおけるＬＡＡの規格化の取組みに加えて、他の規格設定団体もまた、関係する技術に取り組んでいる。たとえば、Ｍｕｌｔｅｆｉｒｅ  Ａｌｌｉａｎｃｅフォーラムは、アンライセンススペクトルでのＬＴＥのスタンドアロン動作を可能にするために、３ＧＰＰ  ＬＡＡシステムにより多くの手順を追加することに取り組んでいる。
【００１３】
Ｒｅｌ−１３では、ライセンス補助アクセス（ＬＡＡ）は、５ＧＨｚ帯域のアンライセンススペクトルのスペクトル機会を捕らえることに向けてＬＴＥキャリアアグリゲーション機能を拡張することに大きな関心を引いた。今日の５ＧＨｚ帯域で運用されているＷＬＡＮは、すでに現場において８０ＭＨｚをサポートし、ＩＥＥＥ  ８０２．１ｌａｃのＷａｖｅ  ２展開では１６０ＭＨｚになる予定である。すでにＬＴＥに広く使用されている帯域に加えて、同じ帯域での２つ以上のキャリアのアグリゲーションが可能である、３．５ＧＨｚなどの他の周波数帯域もある。ＩＥＥＥ  ８０２．１ｌａｃ  Ｗａｖｅ  ２としてＬＡＡと組み合わせてＬＴＥに少なくとも同様の帯域幅の利用を可能にすると、６以上のキャリアをサポートするためにキャリアアグリゲーションの枠組みの拡張を求める声を支援することになる。５を超えるキャリアへのＣＡ枠組みの拡張は、ＬＴＥ  Ｒｅｌ−１３の１つの取組み項目であることを承認された。目的は、ＵＬとＤＬの両方において最高３２のキャリアをサポートすることである。
【００１４】
ＤＬにおいて最高３２のキャリアをサポートするには、ＵＣＩフィードバック、たとえば、ＨＡＲＱ−ＡＣＫビットは、著しく増加することになる。各ＤＬサブフレームでは、空間多重がサポートされているか否かに応じてキャリアごとに１または２のＨＡＲＱ−ＡＣＫビットがある。それゆえに、ＦＤＤでは、３２のＤＬキャリアがある場合、最高６４のＨＡＲＱ−ＡＣＫビットがあり得る。ＴＤＤの場合のＨＡＲＱ−ＡＣＫビットの数は、ＴＤＤ設定に応じて数百ビットまで、さらに大きくなる。したがって、より大きいペイロードをサポートする新しいＰＵＣＣＨフォーマットが必要である。同様に、増加したＵＣＩビット数のピギーバックはまた、ＰＵＳＣＨでのＵＣＩフィードバックの強化を促す。
【００１５】
アップリンク送信は、動的にスケジュールされる。たとえば、各ダウンリンクサブフレームにおいて、基地局は、どの端末が後続のサブフレームでｅＮＢにデータを送信すべきか、およびどのリソースブロックでデータが送信されるかについての制御情報を送信する。アップリンクリソースグリッドは、ＰＵＳＣＨでのデータおよびアップリンク制御情報、ＰＵＣＣＨでのアップリンク制御情報、ならびに復調用参照信号（ＤＭＲＳ）およびサウンディング参照信号（ＳＲＳ）が設定される場合はＳＲＳなどの、様々な参照信号から構成される。ＤＭＲＳは、ＰＵＳＣＨおよびＰＵＣＣＨデータのコヒーレント復調に使用されるのに対して、ＳＲＳはどのデータまたは制御情報にも関連しないが、一般的に、周波数選択性スケジューリングの目的でアップリンクチャネル品質を推定するために使用される。
【００１６】
図５は、ＰＵＳＣＨにおいてデータおよび制御情報を多重化することを示す。詳細には、単にデータ、ＤＭＲＳ、およびＳＲＳを有する例示的なアップリンクサブフレームが示されている。ＵＬ  ＤＭＲＳおよびＳＲＳはＵＬサブフレームに時間多重化され、ＳＲＳは常に標準のＵＬサブフレームの最後のシンボルで送信されることに留意する。ＰＵＳＣＨ  ＤＭＲＳは、標準のサイクリックプレフィックスをもつサブフレームではすべてのスロットで１度送信され、４番目および１１番目のＳＣ−ＦＤＭＡシンボルに位置する。
【００１７】
ＬＴＥでは、制御情報が、ＰＵＣＣＨではなくＰＵＳＣＨで搬送されることも可能である。したがって、データおよび制御情報をＰＵＳＣＨにおいて多重化することができる。制御情報は、たとえば、以下を含むことができる：
・  チャネル品質インジケータ（ＣＱＩ）およびプリコーディング行列インジケータ（ＰＭＩ）ビットからさらに構成されてもよいチャネル状態情報（ＣＳＩ）
・  ランクインジケータ（ＲＩ）
・  ＨＡＲＱ−ＡＣＫフィードバック
ＬＴＥ規格ＴＳ  ３６．２１２，  ｖ．１３．０．０によれば：
・  チャネル符号化されたＣＳＩビットは、チャネル符号化されたデータビットとともに多重化される。チャネル符号化されたＣＳＩビットは、チャネル符号化されたデータビットの前に配置される（すなわち、リソースエレメントに割り当てられる）。これらのビットは、ＰＵＳＣＨでの利用可能なＲＥに一緒にインターリーブされる。図６は、ＣＳＩ（ＣＱＩ／ＰＭＩ）ビットがＲＥの最初の数行を占め、データビットが残りの大部分を占めるＰＵＳＣＨにおいてデータおよび制御情報ビットを多重化することを示す。
・  符号化されたＲＩビットは、下からＰＵＳＣＨ  ＳＣＦＤＭＡシンボル＃１、＃５、＃８、および＃１２に配置される。符号化されたＲＩビットによって占有されたＲＥは、符号化されたＣＳＩおよびデータビットによって避けられる。
・  符号化されたＨＡＲＱ−ＡＣＫフィードバックビットは、下からＰＵＳＣＨ  ＳＣＦＤＭＡシンボル＃２、＃４、＃９、および＃１１に配置される。符号化されたＨＡＲＱ−ＡＣＫフィードバックビットによって占有されたＲＥは、符号化されたＣＳＩおよびデータビットによって避けられない。実際、ＬＴＥ規格ＴＳ  ３６．２１２は、符号化されたＨＡＲＱ−ＡＣＫフィードバックビットが、符号化されたデータビットをすでに含んでいるＲＥを上書きすると説明する。
【００１８】
データおよび制御情報多重化手順は、想定されるＨＡＲＱ−ＡＣＫフィードバックサイズがかなり小さかった、たとえば、１〜２ビットであったとき、ＬＴＥ  Ｒｅｌ−８において設計された。そのような小さいＨＡＲＱ−ＡＣＫフィードバックサイズでは、ＰＵＳＣＨデータＲＥの上書きは、無視できるほど小さい性能損失を生じる。
【発明の概要】
【００１９】
開示する主題のいくつかの実施形態では、ワイヤレス通信デバイスを動作させる方法が、ＣＳＩビットをＨＡＲＱ−ＡＣＫビットと一緒にチャネル符号化することと、一緒に符号化されたＣＳＩおよびＨＡＲＱ−ＡＣＫビットを符号化されたデータビットとともに多重化することと、多重化された、符号化されたＣＳＩおよびＨＡＲＱ−ＡＣＫビットならびに符号化されたデータビットをＰＵＳＣＨで送信することとを含む。
【００２０】
いくつかの関係する実施形態では、ＣＳＩビットは、ＣＱＩビットを含む。
【００２１】
いくつかの関係する実施形態では、ＣＳＩビットをＨＡＲＱ−ＡＣＫビットと一緒にチャネル符号化することは、結合系列を生成するためにチャネル品質ビットの系列の終わりにＨＡＲＱ−ＡＣＫビットの系列を付加することと、結合系列をチャネル符号化することとを含む。
【００２２】
いくつかの関係する実施形態では、一緒に符号化されたＣＳＩおよびＨＡＲＱ−ＡＣＫビットを符号化されたデータビットとともに多重化することは、一緒に符号化されたＣＳＩおよびＨＡＲＱ−ＡＣＫビットを、ＰＵＳＣＨにおいてリソースエレメントの第１のセットで送信するために割り当て、その後符号化されたデータビットを、ＰＵＳＣＨにおいてリソースエレメントの第２のセットで送信するために割り当てることを含み、ただし、リソースエレメントの第１および第２のセットは、同じリソースエレメントのいずれも含まない。
【００２３】
いくつかの関係する実施形態では、割り当てることは、符号化されたＣＳＩおよびＨＡＲＱ−ＡＣＫビットがリソースエレメントの第１のセットに割り当てられ、符号化されたデータビットがリソースエレメントの第２のセットに割り当てられるように、符号化されたＣＳＩおよびＨＡＲＱ−ＡＣＫビットを符号化されたデータビットとともにインターリーブすることを含む。
【００２４】
いくつかの関係する実施形態では、インターリーブすることは、ＨＡＲＱ−ＡＣＫビットがないものとして扱われるチャネルインターリービング手順を行うことを含む。
【００２５】
いくつかの関係する実施形態では、方法は、無線ネットワークノードから、割当てが行われるべきであることを示す上位レイヤシグナリングを受信することと、上位レイヤシグナリングに応答して割当てを行うこととをさらに含む。いくつかの関係する実施形態では、多重化は、ＰＤＣＣＨまたはｅＰＤＣＣＨシグナリングによってトリガされる。
【００２６】
いくつかの関係する実施形態では、方法は、ＨＡＲＱ−ＡＣＫビットまたは符号化されたＨＡＲＱ−ＡＣＫビットの数がしきい値よりも大きいかどうかを決定することと、決定の結果としてＨＡＲＱ−ＡＣＫビットをＣＳＩビットと一緒にチャネル符号化することを行うこととをさらに含む。しきい値は、たとえば２２であってもよい。
【００２７】
開示する主題のいくつかの実施形態では、ワイヤレス通信デバイスが、ＣＳＩビットをＨＡＲＱ−ＡＣＫビットと一緒にチャネル符号化することと、一緒に符号化されたＣＳＩおよびＨＡＲＱ−ＡＣＫビットを符号化されたデータビットとともに多重化することと、多重化された、符号化されたＣＳＩおよびＨＡＲＱ−ＡＣＫビットならびに符号化されたデータビットをＰＵＳＣＨで送信することとを行うように集合的に設定された、少なくとも１つのメモリと、少なくとも１つのプロセッサと、少なくとも１つのトランシーバとを含む。
【００２８】
いくつかの関係する実施形態では、ＣＳＩビットは、ＣＱＩビットを含む。いくつかの関係する実施形態では、ＣＳＩビットをＨＡＲＱ−ＡＣＫビットと一緒にチャネル符号化することは、結合系列を生成するためにチャネル品質ビットの系列の終わりにＨＡＲＱ−ＡＣＫビットの系列を付加することと、結合系列をチャネル符号化することとを含む。
【００２９】
いくつかの関係する実施形態では、一緒に符号化されたＣＳＩおよびＨＡＲＱ−ＡＣＫビットを符号化されたデータビットとともに多重化することは、一緒に符号化されたＣＳＩおよびＨＡＲＱ−ＡＣＫビットを、ＰＵＳＣＨにおいてリソースエレメントの第１のセットでの送信に割り当て、その後符号化されたデータビットを、ＰＵＳＣＨにおいてリソースエレメントの第２のセットでの送信に割り当てることを含み、ただし、リソースエレメントの第１および第２のセットは、同じリソースエレメントのいずれも含まない。
【００３０】
いくつかの関係する実施形態では、割り当てることは、符号化されたＣＳＩおよびＨＡＲＱ−ＡＣＫビットがリソースエレメントの第１のセットに割り当てられ、符号化されたデータビットがリソースエレメントの第２のセットに割り当てられるように、符号化されたＣＳＩおよびＨＡＲＱ−ＡＣＫビットを符号化されたデータビットとともにインターリーブすることを含む。
【００３１】
いくつかの関係する実施形態では、インターリーブすることは、ＨＡＲＱ−ＡＣＫビットがないものとして扱われるチャネルインターリービング手順を行うことを含む。
【００３２】
いくつかの関係する実施形態では、少なくとも１つのメモリ、少なくとも１つのプロセッサ、および少なくとも１つのトランシーバは、無線ネットワークノードから、割当てが行われるべきであることを示す上位レイヤシグナリングを受信し、上位レイヤシグナリングに応答して割当てを行うように、さらに集合的に設定される。
【００３３】
いくつかの関係する実施形態では、多重化は、ＰＤＣＣＨまたはｅＰＤＣＣＨシグナリングによってトリガされる。
【００３４】
いくつかの関係する実施形態では、少なくとも１つのメモリ、少なくとも１つのプロセッサ、および少なくとも１つのトランシーバは、ＨＡＲＱ−ＡＣＫビットまたは符号化されたＨＡＲＱ−ＡＣＫビットの数がしきい値よりも大きいかどうかを決定し、決定の結果としてＨＡＲＱ−ＡＣＫビットをＣＳＩビットと一緒にチャネル符号化することを行うように、さらに集合的に設定される。しきい値は、たとえば２２であってもよい。
【００３５】
開示する主題のいくつかの実施形態では、ワイヤレス通信デバイスを動作させる方法が、符号化されたＨＡＲＱ−ＡＣＫビット、符号化されたＣＳＩビット、および符号化されたデータビットを多重化することであって、多重化することが、ＣＳＩビットをＰＵＳＣＨにおいてリソースエレメントの第１のセットで送信するために割り当て、その後符号化されたＨＡＲＱ−ＡＣＫビットおよび符号化されたデータビットをＰＵＳＣＨにおいてリソースエレメントのそれぞれの第２および第３のセットで送信するために割り当てることを含み、ただし、リソースエレメントの第１、第２、および第３のセットは、同じリソースエレメントのいずれも含まない、多重化することと、多重化された、符号化されたＨＡＲＱ−ＡＣＫビット、符号化されたＣＳＩビット、および符号化されたデータビットをＰＵＳＣＨで送信することとを含む。
【００３６】
いくつかの関係する実施形態では、多重化することは、ＣＳＩビットをＰＵＳＣＨにおいてリソースエレメントの第１のセットで送信するために割り当て、その後符号化されたＨＡＲＱ−ＡＣＫビットをＰＵＳＣＨにおいてリソースエレメントの第２のセットで送信するために割り当て、その後符号化されたデータビットをＰＵＳＣＨにおいてリソースエレメントの第３のセットで送信するために割り当てることを含む。
【００３７】
いくつかの関係する実施形態では、多重化することは、ＣＳＩビットをＰＵＳＣＨにおいてリソースエレメントの第１のセットで送信するために割り当て、その後符号化されたデータビットをＰＵＳＣＨにおいてリソースエレメントの第３のセットで送信するために割り当て、その後符号化されたＨＡＲＱ−ＡＣＫビットをＰＵＳＣＨにおいてリソースエレメントの第２のセットで送信するために割り当てることを含む。
【００３８】
いくつかの関係する実施形態では、多重化することは、符号化されたＣＳＩビット、それに続くＨＡＲＱ−ＡＣＫビット、それに続く符号化されたデータビットを含む、インターリーバのための入力を設定することをさらに含む。
【００３９】
いくつかの関係する実施形態では、多重化することは、符号化されたＣＳＩビット、それに続く符号化されたデータビット、それに続くＨＡＲＱ−ＡＣＫビットを含む、インターリーバのための入力を設定することをさらに含む。
【００４０】
いくつかの関係する実施形態では、方法は、無線ネットワークノードから、割当てが行われるべきであることを示す上位レイヤシグナリングを受信することと、上位レイヤシグナリングに応答して多重化を行うこととをさらに含む。いくつかの関係する実施形態では、上位レイヤシグナリングは、ＲＲＣシグナリングを含む。いくつかの関係する実施形態では、多重化は、ＰＤＣＣＨまたはｅＰＤＣＣＨシグナリングによってトリガされる。
【００４１】
いくつかの関係する実施形態では、方法は、ＨＡＲＱ−ＡＣＫビットまたは符号化されたＨＡＲＱ−ＡＣＫビットの数がしきい値よりも大きいかどうかを決定することと、決定の結果として多重化を行うこととをさらに含む。しきい値は、たとえば２２であってもよい。
【００４２】
開示する主題のいくつかの実施形態では、ワイヤレス通信デバイスが、符号化されたＨＡＲＱ−ＡＣＫビット、符号化されたＣＳＩビット、および符号化されたデータビットを多重化することであって、多重化することが、ＣＳＩビットをＰＵＳＣＨにおいてリソースエレメントの第１のセットで送信するために割り当て、その後符号化されたＨＡＲＱ−ＡＣＫビットおよび符号化されたデータビットをＰＵＳＣＨにおいてリソースエレメントのそれぞれの第２および第３のセットで送信するために割り当てることを含み、ただし、リソースエレメントの第１、第２および第３のセットは同じリソースエレメントのいずれも含まない、多重化することと、多重化された、符号化されたＨＡＲＱ−ＡＣＫビット、符号化されたＣＳＩビット、および符号化されたデータビットをＰＵＳＣＨで送信することとを行うように集合的に設定された、少なくとも１つのメモリ、少なくとも１つのプロセッサ、および少なくとも１つのトランシーバを含む。
【００４３】
いくつかの関係する実施形態では、多重化することは、ＣＳＩビットをＰＵＳＣＨにおいてリソースエレメントの第１のセットで送信するために割り当て、その後符号化されたＨＡＲＱ−ＡＣＫビットをＰＵＳＣＨにおいてリソースエレメントの第２のセットで送信するために割り当て、その後符号化されたデータビットをＰＵＳＣＨにおいてリソースエレメントの第３のセットで送信するために割り当てることを含む。
【００４４】
いくつかの関係する実施形態では、多重化することは、ＣＳＩビットをＰＵＳＣＨにおいてリソースエレメントの第１のセットで送信するために割り当てることと、その後符号化されたデータビットをＰＵＳＣＨにおいてリソースエレメントの第３のセットで送信するために割り当てることと、その後符号化されたＨＡＲＱ−ＡＣＫビットをＰＵＳＣＨにおいてリソースエレメントの第２のセットで送信するために割り当てることとを含む。
【００４５】
いくつかの関係する実施形態では、多重化することは、符号化されたＣＳＩビット、続いてＨＡＲＱ−ＡＣＫビット、続いて符号化されたデータビットを含む、インターリーバのための入力を設定することをさらに含む。いくつかの関係する実施形態では、多重化することは、符号化されたＣＳＩビット、それに続く符号化されたデータビット、それに続くＨＡＲＱ−ＡＣＫビットを含む、インターリーバのための入力を設定することをさらに含む。
【００４６】
いくつかの関係する実施形態では、ワイヤレス通信デバイスは、無線ネットワークノードから、割当てが行われるべきであることを示す上位レイヤシグナリングを受信することと、上位レイヤシグナリングに応答して多重化を行うこととをさらに含む。上位レイヤシグナリングは、たとえばＲＲＣシグナリングであってもよい。
【００４７】
いくつかの関係する実施形態では、多重化は、ＰＤＣＣＨまたはｅＰＤＣＣＨシグナリングによってトリガされる。
【００４８】
いくつかの関係する実施形態では、少なくとも１つのメモリ、少なくとも１つのプロセッサ、および少なくとも１つのトランシーバは、ＨＡＲＱ−ＡＣＫビットまたは符号化されたＨＡＲＱ−ＡＣＫビットの数がしきい値よりも大きいかどうかを決定し、決定の結果として多重化を行うように集合的に設定される。しきい値は、たとえば２２であってもよい。
【００４９】
開示する主題のいくつかの実施形態では、ワイヤレス通信デバイスを動作させる方法が、符号化されたＲＩビット、ＨＡＲＱ−ＡＣＫビット、符号化されたＣＳＩビット、および符号化されたデータビットを多重化することであって、多重化することが、ＲＩビットをＰＵＳＣＨにおいてリソースエレメントの第１のセットで送信するために割り当て、その後ＣＳＩビットおよび符号化されたデータビットをＰＵＳＣＨにおいてリソースエレメントの第２のセットで送信するために、符号化されたＨＡＲＱ−ＡＣＫビットをＰＵＳＣＨにおいてリソースエレメントの第３のセットで送信するために割り当てることを含み、ただし、リソースエレメントの第１、第２、および第３のセットは同じリソースエレメントのいずれも含まない、多重化することと、多重化された、符号化されたＲＩビット、符号化されたＨＡＲＱ−ＡＣＫビット、符号化されたＣＳＩビット、および符号化されたデータビットをＰＵＳＣＨで送信することとを含む。
【００５０】
いくつかの関係する実施形態では、多重化することは、符号化されたＲＩビット、それに続く符号化されたＣＳＩおよびデータビット、それに続くＨＡＲＱ−ＡＣＫビットを含む、インターリーバのための入力を設定することをさらに含む。
【００５１】
いくつかの関係する実施形態では、方法は、無線ネットワークノードから、割当てが行われるべきであることを示す上位レイヤシグナリングを受信することと、上位レイヤシグナリングに応答して多重化を行うこととをさらに含む。上位レイヤシグナリングは、たとえばＲＲＣシグナリングを含んでもよい。いくつかの関係する実施形態では、多重化は、ＰＤＣＣＨまたはｅＰＤＣＣＨシグナリングによってトリガされる。
【００５２】
いくつかの関係する実施形態では、方法は、ＨＡＲＱ−ＡＣＫビットまたは符号化されたＨＡＲＱ−ＡＣＫビットの数がしきい値よりも大きいかどうかを決定することと、決定の結果として多重化を行うこととをさらに含む。しきい値は、たとえば２２であってもよい。
【００５３】
開示する主題のいくつかの実施形態では、ワイヤレス通信デバイスが、符号化されたＲＩビット、ＨＡＲＱ−ＡＣＫビット、符号化されたＣＳＩビット、および符号化されたデータビットを多重化することであって、多重化することが、ＲＩビットをＰＵＳＣＨにおいてリソースエレメントの第１のセットで送信するために割り当て、その後ＣＳＩビットおよび符号化されたデータビットをＰＵＳＣＨにおいてリソースエレメントの第２のセットで送信するために、符号化されたＨＡＲＱ−ＡＣＫビットをＰＵＳＣＨにおいてリソースエレメントの第３のセットで送信するために割り当てることを含み、ただし、リソースエレメントの第１、第２、および第３のセットは同じリソースエレメントのいずれも含まない、多重化することと、多重化された、符号化されたＲＩビット、符号化されたＨＡＲＱ−ＡＣＫビット、符号化されたＣＳＩビット、および符号化されたデータビットをＰＵＳＣＨで送信することとを行うように集合的に設定された、少なくとも１つのメモリ、少なくとも１つのプロセッサ、および少なくとも１つのトランシーバを含む。
【００５４】
いくつかの関係する実施形態では、多重化することは、符号化されたＲＩビット、続いて符号化されたＣＳＩおよびデータビット、続いてＨＡＲＱ−ＡＣＫビットを含む、インターリーバのための入力を設定することをさらに含む。
【００５５】
いくつかの関係する実施形態では、少なくとも１つのメモリ、少なくとも１つのプロセッサ、および少なくとも１つのトランシーバは、無線ネットワークノードから、割当てが行われるべきであることを示す上位レイヤシグナリングを受信し、上位レイヤシグナリングに応答して多重化を行うように、さらに集合的に設定される。上位レイヤシグナリングは、たとえばＲＲＣシグナリングであってもよい。いくつかの関係する実施形態では、多重化は、ＰＤＣＣＨまたはｅＰＤＣＣＨシグナリングによってトリガされる。
【００５６】
いくつかの関係する実施形態では、少なくとも１つのメモリ、少なくとも１つのプロセッサ、および少なくとも１つのトランシーバは、ＨＡＲＱ−ＡＣＫビットまたは符号化されたＨＡＲＱ−ＡＣＫビットの数がしきい値よりも大きいかどうかを決定し、決定の結果として多重化を行うように、さらに集合的に設定される。しきい値は、たとえば２２であってもよい。
【００５７】
図面は、開示する主題の選択された実施形態を示す。図面では、同様の参照ラベルは同様の特徴を示す。
【図面の簡単な説明】
【００５８】
【図１】ＬＴＥダウンリンク物理リソースを示す図である。
【図２】ＬＴＥ時間領域構造を示す図である。
【図３】ＬＴＥにおけるＨＡＲＱ動作を示す図である。
【図４】ＬＴＥキャリアアグリゲーションを使用したアンライセンススペクトルでのＬＡＡを示す図である。
【図５】ＰＵＳＣＨにおいてデータおよび制御情報を多重化することを示す図である。
【図６】ＰＵＳＣＨにおいてデータおよび制御情報ビットを多重化することを示す図である。
【図７】ＥＶＡチャネルでのＨＡＲＱ−ＡＣＫフィードバックパンクチャリングのない１０−ＰＲＢのＰＵＳＣＨ割振りを有するＭＣＳ１２〜２８のトランスポートブロック誤り率（ＴＢＬＥＲ）を示す図である。
【図８】１４４個のＲＥがＨＡＲＱ−ＡＣＫフィードバックによってパンクチャされた、ＴＢＬＥＲを示す図である。
【図９】いくつかの実施形態による、ＨＡＲＱ−ＡＣＫ多重化手順を行うための例示的なワイヤレスネットワークを示す図である。
【図１０】いくつかの実施形態による、ＨＡＲＱ−ＡＣＫ多重化手順を行うように設定された例示的なネットワークノードを示す図である。
【図１１】いくつかの実施形態による、ＨＡＲＱ−ＡＣＫ多重化手順を行うように設定された例示的なワイヤレスデバイスを示す図である。
【図１２】いくつかの実施形態による、ＨＡＲＱ−ＡＣＫ多重化手順を行うための方法を示す図である。
【図１３】いくつかの実施形態による、ＨＡＲＱ−ＡＣＫ多重化手順を行うための別の方法を示す図である。
【図１４】いくつかの実施形態による、ＨＡＲＱ−ＡＣＫ多重化手順を行うための別の方法を示す図である。
【図１５】いくつかの実施形態による、符号化されたＨＡＲＱ−ＡＣＫビットが符号化されたＣＳＩビットの後に、しかし符号化されたデータビットの前に配置される、１つの非限定的な例を示す図である。
【図１６】いくつかの実施形態による、符号化されたＨＡＲＱ−ＡＣＫビットが符号化されたＣＳＩビットおよび符号化されたデータビットの後に置かれる、別の非限定的な例を示す図である。
【図１７】いくつかの実施形態による、符号化されたデータビットとともに一緒に符号化されたＣＳＩおよびＨＡＲＱ−ＡＣＫビットを多重化するための非限定的な例を示す図である。
【図１８】いくつかの実施形態による、例示的な無線ネットワークコントローラまたはコアネットワークノードを示す図である。
【発明を実施するための形態】
【００５９】
以下の説明は、開示する主題の様々な実施形態を示す。これらの実施形態は、教示例として示され、開示する主題の範囲を限定すると解釈されてはならない。たとえば、説明する実施形態のいくつかの詳細は、開示する主題の範囲を逸脱することなく、変更、省略、または拡張される場合がある。
【００６０】
いくつかの実施形態は、ＰＵＳＣＨにおいてＨＡＲＱ−ＡＣＫフィードバック情報を搬送するための解決策を提要する。たとえば、いくつかの実施形態では、ワイヤレス通信デバイスが、ＣＳＩビットおよびＨＡＲＱ−ＡＣＫビットを一緒にチャネル符号化し、次いで、一緒に符号化されたビットを、符号化されたデータビットとともに多重化し、多重化されたビットをＰＵＳＣＨで送信する。この手法は、ＨＡＲＱ−ＡＣＫビットによる符号化されたデータビットのパンクチャリングを回避することができる。いくつかの他の実施形態では、ワイヤレス通信デバイスは、ＨＡＲＱ−ＡＣＫビットが符号化されたデータビットをパンクチャしないように、符号化されたＨＡＲＱ−ＡＣＫビット、符号化されたＣＳＩビット、および符号化されたデータビットを多重化する。
【００６１】
発明者が従来の手法において認識した、以下の例などの短所を認めて、いくつかの実施形態が示される。３ＧＰＰ  Ｒｅｌ−１３では、１つのＵＥに対して最大３２のダウンリンクキャリアを設定することができる。そのような大きいフィードバックサイズをサポートするために、新しいＰＵＣＣＨフォーマット４および５もまた導入された。符号化されたＨＡＲＱ−ＡＣＫフィードバックビットを搬送するための１４４個のＲＥを有する新しいＰＵＣＣＨフォーマット４の例を考える。これらのＨＡＲＱ−ＡＣＫフィードバックビットがＰＵＳＣＨで搬送される場合、いくつかの仕様によれば、ＰＵＳＣＨシンボル＃２、＃４、＃９および＃１１の各々において、３６個のＲＥが必要とされることになる。これは、ＰＵＳＣＨデータの実質的な上書き（またはパンクチャリング）を生じることになり、深刻な性能損失を引き起こすことがある。
【００６２】
図７は、ＥＶＡチャネルでのＨＡＲＱ−ＡＣＫフィードバックパンクチャリングのない１０−ＰＲＢのＰＵＳＣＨ割振りでＭＣＳ１２〜２８のトランスポートブロック誤り率（ＴＢＬＥＲ）を示す。図８は、１４４個のＲＥがＨＡＲＱ−ＡＣＫフィードバックによってパンクチャされた、対応するＴＢＬＥＲを示す。以下を観測することができる：
・  １６ＱＡＭおよび６４ＱＡＭのＰＵＳＣＨのＭＣＳは、少なくとも１ｄＢの損失を受ける。
・  損失は、より高い符号化率を用いるＭＣＳに対してより高くなる。２５６ＱＡＭのＭＣＳが導入されるとき、高い性能損失に遭遇することが予想される。
・  ＭＣＳ２８は、１００％のＴＢＬＥＲを有し、使用可能ではない。ＭＣＳ２５もまた、好ましくないさらなるパンクチャリングパターンにより非常に高い性能損失を受ける。
【００６３】
図示のように、ＰＵＳＣＨ変調シンボルのＨＡＲＱ−ＡＣＫフィードバックパンクチャリングは、符号ブロックに集中している。さらに、パンクチャリングは、ＬＴＥレートマッチング手順に続くものであり、データビットを確実に復元するデコーダの能力に有害なパンクチャリングパターンを生じることがある。いくつかのＭＣＳでは、さらなるパンクチャリングパターンが、予期しない、実質的により高い性能損失を引き起こす（たとえば、ＭＣＳ２５）。問題は、信号がすでに、ターボ符号に注意深くバランスを保たれるレートマッチングパターンを有する高い符号レートであることである。変調シンボルパンクチャリングは、ターボ符号構造を考慮せず、精巧にバランスを保たれたレートマッチングパターンを破壊する。
【００６４】
開示する主題のいくつかの実施形態は、従来の手法と比較して１つまたは複数の技術的利点をもたらす場合がある。たとえば、ＰＵＳＣＨにおいてＨＡＲＱ−ＡＣＫフィードバック情報を搬送する改善された方法は、大きいＨＡＲＱ−ＡＣＫフィードバックサイズが使用されるときの深刻な性能劣化を回避するという潜在的な利点、および／またはＰＵＳＣＨデータＲＥの過度のパンクチャリングを回避するという別の潜在的な利点をもたらされる場合がある。その結果、ＰＵＳＣＨ送信は、従来の手法と比較して信頼性および性能を高めることができる。
【００６５】
図９は、いくつかの実施形態による、アンライセンスキャリアのためにＳＲＳキャリアベースのスイッチングを行うように設定されたネットワーク１００を示すブロック図である。ネットワーク１００は、ワイヤレスデバイス１１０またはＵＥ１１０と互換的に呼ばれることがある１つまたは複数のワイヤレスデバイス１１０Ａ〜Ｃと、ネットワークノード１１５またはｅＮｏｄｅＢ１１５と互換的に呼ばれることがあるネットワークノード１１５Ａ〜Ｃとを含む。ワイヤレスデバイス１１０は、ワイヤレスインターフェースを通じてネットワークノード１１５と通信してもよい。たとえば、ワイヤレスデバイス１１０Ａは、ネットワークノード１１５の１つまたは複数にワイヤレス信号を送信し、および／またはネットワークノード１１５の１つまたは複数からワイヤレス信号を受信してもよい。ワイヤレス信号は、音声トラフィック、データトラフィック、制御信号、および／または任意の他の好適な情報を含んでもよい。いくつかの実施形態では、ネットワークノード１１５に関連するワイヤレス信号カバレッジのエリアは、セルと呼ばれる場合がある。いくつかの実施形態では、ワイヤレスデバイス１１０は、Ｄ２Ｄ能力を有してもよい。したがって、ワイヤレスデバイス１１０は、別のワイヤレスデバイス１１０から信号を受信することおよび／または別のワイヤレスデバイス１１０に直接信号を送信することができてもよい。たとえば、ワイヤレスデバイス１１０Ａは、ワイヤレスデバイス１１０Ｂから信号を受信することおよび／またはワイヤレスデバイス１１０Ｂに信号を送信することができてもよい。
【００６６】
いくつかの実施形態では、ネットワークノード１１５は、無線ネットワークコントローラ（図９には図示せず）とインターフェースしてもよい。無線ネットワークコントローラは、ネットワークノード１１５を制御してもよく、いくつかの無線リソース管理機能、モビリティ管理機能、および／または他の好適な機能を実現してもよい。いくつかの実施形態では、無線ネットワークコントローラの機能は、ネットワークノード１１５に含まれてもよい。無線ネットワークコントローラは、コアネットワークノードとインターフェースしてもよい。いくつかの実施形態では、無線ネットワークコントローラは、相互接続ネットワークを介してコアネットワークノードとインターフェースしてもよい。相互接続ネットワークは、オーディオ、ビデオ、信号、データ、メッセージ、または上記の任意の組合せを送信することができる任意の相互接続システムを指してもよい。相互接続ネットワークは、公衆交換電話網（ＰＳＴＮ）、パブリックまたはプライベートデータネットワーク、ローカルエリアネットワーク（ＬＡＮ）、メトロポリタンエリアネットワーク（ＭＡＮ）、ワイドエリアネットワーク（ＷＡＮ）、インターネット、ワイヤラインもしくはワイヤレスネットワーク、企業イントラネットなどのローカル、地域、もしくはグローバル通信もしくはコンピュータネットワーク、または、その組合せを含む任意の他の好適な通信リンクのうちの全部または一部を含んでもよい。
【００６７】
いくつかの実施形態では、コアネットワークノードは、通信セッションの確立およびワイヤレスデバイス１１０のための様々な他の機能を管理してもよい。ワイヤレスデバイス１１０は、非アクセス層レイヤを使用してコアネットワークノードといくつかの信号を交換してもよい。非アクセス層シグナリングでは、ワイヤレスデバイス１１０とコアネットワークノードとの間の信号は、無線アクセスネットワークを透過的に通されてもよい。いくつかの実施形態では、ネットワークノード１１５は、ノード間インターフェースを通じて１つまたは複数のネットワークノードとインターフェースしてもよい。たとえば、ネットワークノード１１５Ａおよび１１５Ｂは、Ｘ２インターフェースを通じてインターフェースしてもよい。
【００６８】
上記で説明したように、ネットワーク１００の例示的な実施形態は、１つまたは複数のワイヤレスデバイス１１０と、ワイヤレスデバイス１１０と（直接または間接的に）通信することができる１つまたは複数の異なるタイプのネットワークノードとを含んでもよい。ワイヤレスデバイス１１０は、セルラーまたは移動体通信システムにおいてノードとおよび／または別のワイヤレスデバイスと通信する任意のタイプのワイヤレスデバイスを指してもよい。ワイヤレスデバイス１１０の例は、ターゲットデバイス、携帯電話、スマートフォン、ＰＤＡ（携帯情報端末）、ポータブルコンピュータ（たとえば、ラップトップ、タブレット、ｉＰａｄ、スマートフォン）、センサー、モデム、マシンタイプ通信（ＭＴＣ）デバイス／マシンツーマシン（Ｍ２Ｍ）デバイス、ラップトップ組込み機器（ＬＥＥ）、ラップトップ取付け機器（ＬＭＥ）、ＵＳＢドングル、Ｄ２Ｄ対応デバイス、またはワイヤレス通信を行うことができる別のデバイスを含む。
【００６９】
ワイヤレスデバイス１１０は、いくつかの実施形態では、ＵＥ、局（ＳＴＡ）、デバイス、または端末と呼ばれることもある。また、いくつかの実施形態では、「無線ネットワークノード」（または単に「ネットワークノード」）という総称的な用語が使用される。ワイヤレスデバイス１１０は、ノードＢ、基地局（ＢＳ）、無線基地局、ＭＳＲ  ＢＳなどのマルチスタンダード無線（ＭＲＳ）無線ノード、ｅノードＢ、ネットワークコントローラ、無線ネットワークコントローラ（ＲＮＣ）、基地局コントローラ（ＢＳＣ）、中継器を制御する中継ドナーノード（relay donor node controlling relay）、基地トランシーバ局（ＢＴＳ）、アクセスポイント（ＡＰ）、送信ポイント、送信ノード、ＲＲＵ、ＲＲＨ、分散アンテナシステム（ＤＡＳ）のノード、コアネットワークノード（たとえば、ＭＳＣ、ＭＭＥなど）、Ｏ＆Ｍ、ＯＳＳ、ＳＯＮ、測位ノード（たとえば、Ｅ−ＳＭＬＣ）、ＭＤＴ、または任意の好適なネットワークノードを含む場合がある、任意の種類のネットワークノードとすることができる。ネットワークノード１１５、ワイヤレスデバイス１１０、および他のネットワークノード（無線ネットワークコントローラまたはコアネットワークノードなど）の例示的な実施形態について、それぞれ図１０、図１１、および図１７に関してより詳細に説明する。
【００７０】
図９は、ネットワーク１００の特定の配置を示すが、本開示は、本明細書で説明する様々な実施形態が任意の好適な設定を有する様々なネットワークに適用される場合があると考える。たとえば、ネットワーク１００は、任意の好適な数のワイヤレスデバイス１１０およびネットワークノード１１５、ならびに、ワイヤレスデバイス間のまたはワイヤレスデバイスと別の通信デバイス（固定電話など）との間の通信をサポートするのに適した任意の追加の要素を含む場合がある。上記で説明したノードまたはデバイスのいずれも、第１のノード、第２のノードなどと考えられる場合がある。
【００７１】
さらに、いくつかの実施形態はロングタームエボリューション（ＬＴＥ）ネットワークにおいて実装されると説明される場合があるが、実施形態は、任意の好適な通信規格をサポートし、任意の好適な構成要素を使用する、任意の適切なタイプの電気通信システムにおいて実装されてもよく、ワイヤレスデバイスが信号（たとえば、データ）を受信および／または送信する任意の無線アクセス技術（ＲＡＴ）またはマルチＲＡＴシステムに適用できる。たとえば、本明細書で説明する様々な実施形態は、ＬＴＥ、ＬＴＥアドバンスト、ＬＴＥ−Ｕ、ＵＭＴＳ、ＨＳＰＡ、ＧＳＭ、ｃｄｍａ２０００、ＷｉＭａｘ、ＷｉＦｉ、別の好適な無線アクセス技術、または１つもしくは複数の無線アクセス技術の任意の好適な組合せに適用できる場合がある。いくつかの実施形態はダウンリンクでの無線送信という文脈において説明される場合があるが、本開示は、様々な実施形態がアップリンクで等しく適用でき、その逆も同様であると考える。
【００７２】
本明細書で説明する技法は、ライセンス免除チャネルにおいて、ＬＡＡ  ＬＴＥとスタンドアロンＬＴＥの両方の動作に適用できる。説明する技法は、一般に、ネットワークノード１１５とワイヤレスデバイス１１０の両方からの送信に適用できる。
【００７３】
図１０は、いくつかの実施形態による、アンライセンスキャリアのためにＳＲＳキャリアベースのスイッチングを行うように設定された例示的なネットワークノード１１５を示す。上記で説明したように、ネットワークノード１１５は、ワイヤレスデバイスおよび／または別のネットワークノードと通信する任意のタイプの無線ネットワークノードまたは任意のネットワークノードであってもよい。ネットワークノード１１５の例は、上記に示している。
【００７４】
ネットワークノード１１５は、ネットワーク１００全体に、ホモジニアス配置、ヘテロジニアス配置、または混合配置として配置されてもよい。ホモジニアス配置は、一般的に、同じ（または同様の）タイプのネットワークノード１１５および／または同様のカバレッジおよびセルサイズおよびサイト間距離から構成される配置を示してもよい。ヘテロジニアス配置は、一般的に、異なるセルサイズ、送信電力、容量、およびサイト間距離を有する様々なタイプのネットワークノード１１５を使用する配置を示してもよい。たとえば、ヘテロジニアス配置は、マクロセルのレイアウト全体に置かれた複数の低電力ノードを含む場合がある。混合配置は、ホモジニアス部分とヘテロジニアス部分の混合を含んでもよい。
【００７５】
ネットワークノード１１５は、トランシーバ２１０、プロセッサ２２０、メモリ２３０、およびネットワークインターフェース２４０のうちの１つまたは複数を含んでもよい。いくつかの実施形態では、トランシーバ２１０は、（たとえば、アンテナを介して）ワイヤレスデバイス１１０にワイヤレス信号を送信すること、およびワイヤレスデバイス１１０からワイヤレス信号を受信することを容易にし、プロセッサ２２０は、ネットワークノード１１５によって提供されるように上記で説明した機能の一部または全部を提供するための命令を実行し、メモリ２３０は、プロセッサ２２０によって実行される命令を記憶し、ネットワークインターフェース２４０は、ゲートウェイ、スイッチ、ルーター、インターネット、公衆交換電話網（ＰＳＴＮ）、コアネットワークノード、または無線ネットワークコントローラなどのバックエンドネットワーク構成要素に信号を通信する。
【００７６】
いくつかの実施形態では、ネットワークノード１１５は、マルチアンテナ技法を使用することができてもよく、複数のアンテナを装備され、ＭＩＭＯ技法をサポートすることができてもよい。１つまたは複数のアンテナは、制御可能な偏波を有してもよい。言い換えれば、ビームフォーミング重みの異なるセットが、放出された波に異なる偏波を与えるように、各要素が、異なる偏波（たとえば、交差偏波として９０度の間隔）をもつ２つの同じ場所に配置されたサブ要素を有してもよい。
【００７７】
プロセッサ２２０は、ネットワークノード１１５の説明した機能の一部または全部を行うために、命令を実行し、データを処理するために１つまたは複数のモジュールに実装された、ハードウェアおよびソフトウェアの任意の好適な組合せを含んでもよい。いくつかの実施形態では、プロセッサ２２０は、たとえば、１つもしくは複数のコンピュータ、１つもしくは複数の中央処理ユニット（ＣＰＵ）、１つもしくは複数のマイクロプロセッサ、１つもしくは複数のアプリケーション、および／または他の論理を含んでもよい。
【００７８】
メモリ２３０は、一般的に、論理、ルール、アルゴリズム、コード、テーブルなどの１つもしくは複数を含むコンピュータプログラム、ソフトウェア、アプリケーションなどの命令、および／またはプロセッサによって実行可能である他の命令を記憶するように動作可能である。メモリ２３０の例は、コンピュータメモリ（たとえば、ランダムアクセスメモリ（ＲＡＭ）もしくは読取り専用メモリ（ＲＯＭ））、大容量記憶媒体（たとえば、ハードディスク）、リムーバブルストレージ媒体（たとえば、コンパクトディスク（ＣＤ）もしくはデジタルビデオディスク（ＤＶＤ））、ならびに／または、情報を記憶する、任意の他の揮発性もしくは不揮発性、非一時的コンピュータ可読および／もしくはコンピュータ実行可能メモリデバイス含む。
【００７９】
いくつかの実施形態では、ネットワークインターフェース２４０は、プロセッサ２２０に通信可能に結合され、ネットワークノード１１５のための入力を受信すること、ネットワークノード１１５からの出力を送ること、入力もしくは出力もしくは両方の好適な処理を行うこと、他のデバイスに通信すること、または上記の任意の組合せを行うように動作可能な任意の好適なデバイスを指してもよい。ネットワークインターフェース２４０は、適切なハードウェア（たとえば、ポート、モデム、ネットワークインターフェースカードなど）、ならびにプロトコル変換およびデータ処理能力を含む、ネットワークを介して通信するためのソフトウェアを含んでもよい。
【００８０】
ネットワークノード１１５の他の実施形態は、図１０に示す構成要素以外に追加の構成要素を含んでもよく、追加の構成要素が、上記で説明した機能のいずれかおよび／または任意の追加の機能を含む（上記で説明した解決策をサポートするのに必要ないずれかの機能を含む）、無線ネットワークノードの機能のいくつかの態様を提供することを担ってもよい。様々な異なるタイプのネットワークノードは、同じ物理的ハードウェアが（たとえば、プログラミングにより）異なる無線アクセス技術をサポートするように設定された構成要素を含んでもよく、部分的にまたは全体的に異なる物理的構成要素を表してもよい。さらに、第１および第２という用語は、単に例示の目的で与えられ、置き換えられる場合がある。
【００８１】
図１１は、いくつかの実施形態による、本明細書で説明する様々な方法を行うように設定された例示的なワイヤレスデバイス１１０を示す。図示のように、ワイヤレスデバイス１１０は、トランシーバ３１０と、プロセッサ３２０と、メモリ３３０とを含む。いくつかの実施形態では、トランシーバ３１０は、（たとえば、アンテナを介して）ネットワークノード１１５にワイヤレス信号を送信すること、およびネットワークノード１１５からワイヤレス信号を受信することを容易にし、プロセッサ３２０は、ワイヤレスデバイス１１０によって提供されるように上記で説明した機能の一部または全部を提供するための命令を実行し、メモリ３３０は、プロセッサ３２０によって実行される命令を記憶する。ネットワークノード１１５の例は、上記に示している。
【００８２】
プロセッサ３２０は、ワイヤレスデバイス１１０の説明した機能の一部または全部を行うために、命令を実行し、データを処理するために１つまたは複数のモジュールに実装されたハードウェアおよびソフトウェアの任意の好適な組合せを含んでもよい。いくつかの実施形態では、プロセッサ３２０は、たとえば、１つもしくは複数のコンピュータ、１つもしくは複数の中央処理ユニット（ＣＰＵ）、１つもしくは複数のマイクロプロセッサ、１つもしくは複数のアプリケーション、および／または他の論理を含んでもよい。
【００８３】
メモリ３３０は、一般的に、論理、ルール、アルゴリズム、コード、テーブルなどの１つもしくは複数を含むコンピュータプログラム、ソフトウェア、アプリケーションなどの命令、および／またはプロセッサによって実行可能である他の命令を記憶するように動作可能である。メモリ３３０の例は、コンピュータメモリ（たとえば、ランダムアクセスメモリ（ＲＡＭ）もしくは読取り専用メモリ（ＲＯＭ））、大容量記憶媒体（たとえば、ハードディスク）、リムーバブルストレージ媒体（たとえば、コンパクトディスク（ＣＤ）もしくはデジタルビデオディスク（ＤＶＤ））、ならびに／または、情報を記憶する、任意の他の揮発性もしくは不揮発性、非一時的コンピュータ可読および／もしくはコンピュータ実行可能メモリデバイスを含む。
【００８４】
ワイヤレスデバイス１１０の他の実施形態は、図１１に示す構成要素以外に追加の構成要素を含んでもよく、追加の構成要素が、上記で説明した機能のいずれかおよび／または任意の追加の機能を含む（上記で説明した解決策をサポートするのに必要な任意の機能を含む）、ワイヤレスデバイスの機能のいくつかの態様を提供することを担ってもよい。
【００８５】
いくつかのＬＴＥ規格（３ＧＰＰ  ＴＳ  ３６．２１２，  Ｖ１３．０．０のセクション５．２．２．８）によれば、データ、ＣＳＩ、ＲＩ、およびＨＡＲＱ−ＡＣＫビットは、チャネルインターリービング手順に基づいてＰＵＳＣＨの異なるＲＥに割り当てられる。ステップは、次のようにまとめることができる：
・  最初に符号化されたＲＩビットが、割り当てられたＲＥ位置に書き込まれる。
・  次いで符号化されたＣＳＩおよびデータビットが、符号化されたＲＩビットによってすでに占有されたＲＥを避けることによって残りのＲＥ位置に書き込まれる。
・  最後に符号化されたＨＡＲＱ−ＡＣＫビットが、符号化されたデータビットをすでに含んでいるＲＥ位置を上書きすることによって、割り当てられたＲＥ位置に書き込まれる。
【００８６】
図１２は、いくつかの実施形態による、ＨＡＲＱ−ＡＣＫ多重化手順を行うための方法を示す。図示のように、符号化されたＨＡＲＱ−ＡＣＫビットは、新しいチャネルインターリービング手順において符号化されたＣＳＩおよびデータビットの前に、割り当てられたＲＥ位置に書き込まれる。方法は、最初に符号化されたＲＩビットが割り当てられたＲＥ位置に書き込まれるステップ１２０２から始まる。ステップ１２０４において、次いで符号化されたＨＡＲＱ−ＡＣＫビットが、割り当てられたＲＥ位置に書き込まれる。符号化されたＲＩおよびＨＡＲＱ−ＡＣＫビットが異なる位置に割り当てられ、したがって符号化されたＨＡＲＱ−ＡＣＫビットは既存のＲＥ位置を上書きしないことに注意する。ステップ１２０６において、最後に符号化されたＣＳＩおよびデータビットが、符号化されたＲＩおよびＨＡＲＱ−ＡＣＫビットによってすでに占有されているＲＥを避けることによって、残りのＲＥ位置に書き込まれる。いくつかの実施形態では、符号化されたＨＡＲＱ−ＡＣＫビットが配置される場所に、他の変更は行われない。
【００８７】
いくつかの実施形態では、図１２に関して上記で説明したようにＨＡＲＱ−ＡＣＫ多重化手順を行うための方法は、コンピュータネットワーキング仮想装置によって行われてもよい。仮想コンピューティングデバイスは、図１２に関して上記で説明したステップと同様のステップを行うためのモジュールを含んでもよい。たとえば、コンピュータネットワーキング仮想装置は、少なくとも１つの書込みモジュールを含んでもよい。特定の実施形態では、たとえば、少なくとも１つの書込みモジュールが、新しいチャネルインターリービング手順において符号化されたＣＳＩおよびデータビットの前に、符号化されたＨＡＲＱ−ＡＣＫビットを割り当てられたＲＥ位置に書き込んでもよい。特定の実施形態では、たとえば、少なくとも１つの書込みモジュールが、符号化されたＨＡＲＱ−ＡＣＫビットを割り当てられたＲＥ位置に書き込んでもよい。特定の実施形態では、たとえば、少なくとも１つの書込みモジュールが、符号化されたＲＩおよびＨＡＲＱ−ＡＣＫビットによってすでに占有されているＲＥを避けることによって、残りのＲＥ位置に符号化されたＣＳＩおよびデータビットを書き込んでもよい。
【００８８】
いくつかの実施形態では、モジュールの１つまたは複数は、図９、図１０、および／または図１１に関して上記で説明したノードの１つまたは複数のプロセッサを使用して実装されてもよい。いくつかの実施形態では、様々なモジュールの２つ以上の機能は、単一のモジュールに結合されてもよい。さらに、コンピュータネットワーキング仮想装置は、少なくとも１つの書込みモジュール以外に追加の構成要素を含んでもよく、追加の構成要素が、上記で説明した機能のいずれかおよび／または任意の追加の機能を含む（上記で説明した解決策をサポートするのに必要な任意の機能を含む）、機能のいくつかの態様を提供することを担ってもよい。
【００８９】
図１３は、いくつかの実施形態による、ＨＡＲＱ−ＡＣＫ多重化手順を行うための別の方法を示す。方法は、ＣＳＩおよびデータビットが、ＨＡＲＱ−ＡＣＫビットの前に書き込まれる場合でも、それらがＨＡＲＱ−ＡＣＫビットを避けることを確実にしてもよい。方法は、最初に符号化されたＲＩビットが割り当てられたＲＥ位置に書き込まれるステップ１３０２から始まる。ステップ１３０４において、次いで符号化されたＣＳＩおよびデータビットが、符号化されたＲＩビットによってすでに占有されたＲＥならびに符号化されたＨＡＲＱ−ＡＣＫビットによって占有されることになるＲＥを避けることによって、残りのＲＥ位置に書き込まれる。ステップ１３０６において、最後に符号化されたＨＡＲＱ−ＡＣＫビットが、割り当てられたＲＥ位置に書き込まれる。ＲＩおよびＨＡＲＱ−ＡＣＫビットは異なるＲＥ位置に割り当てられ、ＣＳＩおよびデータビットはこれらのＨＡＲＱ−ＡＣＫのＲＥ位置を避けたので、これは、どのＲＥ位置も上書きすることにならない。ＰＵＳＣＨデータのためのチャネル符号化およびレートマッチング手順は、ＨＡＲＱ−ＡＣＫビットによって占有されることになるＲＥに対応するために、より少ない符号化ビットを生成するように命令されるという点において、図１３の方法は、技術的利点をもたらすことができる。
【００９０】
いくつかの実施形態では、図１３に関して上記で説明したようにＨＡＲＱ−ＡＣＫ多重化手順を行うための方法は、コンピュータネットワーキング仮想装置によって行われてもよい。仮想コンピューティングデバイスは、図１３に示して説明した方法に関して上記で説明したステップと同様のステップを行うためのモジュールを含んでもよい。たとえば、コンピュータネットワーキング仮想装置は、少なくとも１つの書込みモジュールを含んでもよい。特定の実施形態では、たとえば、少なくとも１つの書込みモジュールが、符号化されたＲＩビットが割り当てられたＲＥ位置に最初に書き込まれると書き込んでもよい。特定の実施形態では、たとえば、少なくとも１つの書込みモジュールが、符号化されたＲＩビットによってすでに占有されているＲＥ、ならびに符号化されたＨＡＲＱ−ＡＣＫビットによって占有されることになるＲＥを避けることによって、残りのＲＥ位置に符号化されたＣＳＩおよびデータビットを書き込んでもよい。特定の実施形態では、たとえば、少なくとも１つの書込みモジュールは、ＲＩおよびＨＡＲＱ−ＡＣＫビットが異なるＲＥ位置に割り当てられ、ＣＳＩおよびデータビットがこれらのＨＡＲＱ−ＡＣＫのＲＥ位置を避けたので、ＲＥ位置が上書きされないように、割り当てられたＲＥ位置に符号化されたＨＡＲＱ−ＡＣＫビットを書き込んでもよい。
【００９１】
いくつかの実施形態では、説明したモジュールの１つまたは複数は、図９、図１０、および／または図１１に関して上記で説明したノードの１つまたは複数のプロセッサを使用して実装されてもよい。いくつかの実施形態では、様々なモジュールの２つ以上の機能は、単一のモジュールに結合されてもよい。さらに、コンピュータネットワーキング仮想装置は、少なくとも１つの書込みモジュール以外に追加の構成要素を含んでもよく、追加の構成要素が、上記で説明した機能のいずれかおよび／または任意の追加の機能を含む（上記で説明した解決策をサポートするのに必要な任意の機能を含む）、機能のいくつかの態様を提供することを担ってもよい。
【００９２】
図１４は、いくつかの実施形態による、ＨＡＲＱ−ＡＣＫ多重化手順を行うための別の方法を示す。方法は、ＣＳＩビットをＨＡＲＱ−ＡＣＫビットと一緒にチャネル符号化すること（１４０２）と、一緒に符号化されたＣＳＩおよびＨＡＲＱ−ＡＣＫビットを符号化されたデータビットとともに多重化すること（１４０４）と、多重化された、符号化されたＣＳＩおよびＨＡＲＱ−ＡＣＫビットならびに符号化されたデータビットをＰＵＳＣＨで送信すること（１４０６）とを含む。ＣＳＩビットは、たとえば、ＣＱＩビットを含んでもよい。
【００９３】
いくつかの関係する実施形態では、ＣＳＩビットをＨＡＲＱ−ＡＣＫビットと一緒にチャネル符号化することは、結合系列を生成するためにチャネル品質ビットの系列の終わりにＨＡＲＱ−ＡＣＫビットの系列を付加することと、結合系列をチャネル符号化することとを含む。
【００９４】
いくつかの関係する実施形態では、一緒に符号化されたＣＳＩおよびＨＡＲＱ−ＡＣＫビットを符号化されたデータビットとともに多重化することは、一緒に符号化されたＣＳＩおよびＨＡＲＱ−ＡＣＫビットを、ＰＵＳＣＨにおいてリソースエレメントの第１のセットで送信するために割り当て、その後符号化されたデータビットを、ＰＵＳＣＨにおいてリソースエレメントの第２のセットで送信するために割り当てることを含み、ただし、リソースエレメントの第１および第２のセットは、同じリソースエレメントのいずれも含まない。割り当てることは、たとえば、符号化されたＣＳＩおよびＨＡＲＱ−ＡＣＫビットがリソースエレメントの第１のセットに割り当てられ、符号化されたデータビットがリソースエレメントの第２のセットに割り当てられるように、符号化されたＣＳＩおよびＨＡＲＱ−ＡＣＫビットを符号化されたデータビットとともにインターリーブすることを含んでもよい。インターリーブすることは、たとえば、ＨＡＲＱ−ＡＣＫビットがないものとして扱われるチャネルインターリービング手順を行うことを含む。
【００９５】
いくつかの関係する実施形態では、方法は、無線ネットワークノードから、割当てが行われるべきであることを示す上位レイヤシグナリング（たとえば、ＲＲＣシグナリング）を受信することと、上位レイヤシグナリングに応答して割当てを行うこととをさらに含む。多重化は、代替的には、ＰＤＣＣＨまたはｅＰＤＣＣＨシグナリングによってトリガされることがある。
【００９６】
いくつかの実施形態では、方法は、ＨＡＲＱ−ＡＣＫビットまたは符号化されたＨＡＲＱ−ＡＣＫビットの数がしきい値よりも大きいかどうかを決定することと、決定の結果としてＨＡＲＱ−ＡＣＫビットをＣＳＩビットと一緒にチャネル符号化することを行うこととをさらに含む。しきい値は、たとえば２２であることがある。
【００９７】
図１２〜図１４に関して上記で説明した方法は、たとえば、図１１に関して上記で説明したようなワイヤレス通信デバイスまたは任意の好適な代替物によって行われることがある。いくつかのそのような実施形態では、図１２〜図１４の様々なステップは、モジュールによって行われることがあり、ここで「モジュール」という用語は、指定された機能を行うように設定されたハードウェアおよび／またはソフトウェアの任意の好適な組合せを指す場合がある。たとえば、図１４の方法を行うためのワイヤレス通信デバイスが、ステップ１４０２、ステップ１４０４、およびステップ１４０６をそれぞれ行うためのチャネル符号化モジュール、多重化モジュール、および送信モジュールを含むことがある。
【００９８】
図１５は、符号化されたＨＡＲＱ−ＡＣＫビットが符号化されたＣＳＩビットの後に、ただし符号化されたデータビットの前に置かれる（すなわち、リソースエレメントに割り当てられる、言い換えると、最終的にそれらのリソースエレメントによって伝達されるように、何らかの形態の処理にかけられる）、１つの非限定的な例を示す。図１６は、符号化されたＨＡＲＱ−ＡＣＫビットが符号化されたＣＳＩビットおよび符号化されたデータビットの後に置かれる、別の非限定的な例を示す図である。
【００９９】
いくつかの実施形態によれば、図１５および図１６の例は、符号化されたＣＳＩビットのように符号化されたデータビットとともに符号化されたＨＡＲＱ−ＡＣＫビットを流すことを含む。すなわち、チャネルインターリーバに入る｛ｇ｝ビットは、符号化されたＣＳＩビット、それに続く符号化されたＨＡＲＱ−ＡＣＫビット、およびそれに続く符号化されたデータビットからなる。チャネルインターリーバ手順の残りは、｛ｑＡＣＫ｝ビットをないものとして扱うことによって再利用可能である。代わりに、３ＧＰＰ  ＴＳ  ３６．２１２，  Ｖ  １３．０．０の「データおよび制御多重化」セクションは、これらの３つの異なるタイプの符号化されたビットを一緒に多重化するために変更されてもよい。
【０１００】
いくつかの他の実施形態によれば、ＨＡＲＱ−ＡＣＫビットおよびＣＳＩビットは、一緒にチャネル符号化されてもよい。図１７は、符号化されたデータビットとともに一緒に符号化されたＣＳＩおよびＨＡＲＱ−ＡＣＫビットを多重化するための非限定的な例を示す。このようにして、ＣＳＩおよびＨＡＲＱ−ＡＣＫビットは、一緒に符号化されてもよい。これはまた、｛ｑＡＣＫ｝ビットをないものとして扱うことによって、チャネルインターリーバ手順が再利用されることを可能にする。代わりに、３ＧＰＰ  ＴＳ  ３６．２１２，  Ｖ  １３．０．０のＣＳＩおよびＨＡＲＱ−ＡＣＫビットのチャネル符号化セクションは、変更されてもよい。
【０１０１】
ＨＡＲＱ−ＡＣＫビット数、０ＡＣＫがしきい値よりも大きいとき、新しい手順が実践されることが、上記で説明した実施形態のいずれかの１つの特徴である。１つの非限定的な実装形態では、しきい値は２２ビットである。
【０１０２】
チャネル符号化されたＨＡＲＱ−ＡＣＫビット数、Ｑ’ＡＣＫがしきい値よりも大きいとき、新しい手順が実践されることが、実施形態のいずれかの別の特徴である。
【０１０３】
ＰＵＳＣＨにおいて搬送されるＨＡＲＱ−ＡＣＫフィードバックが制御チャネルによってトリガされるとき、新しい手順が実践されることが、実施形態のいずれかのさらに別の特徴である。１つの非限定的な実装形態では、上記の制御チャネルは、ＰＤＣＣＨである。別の非限定的な実装形態では、上記の制御チャネルは、ＥＰＤＣＣＨである。
【０１０４】
新しい手順は、上位レイヤシグナリングによって設定される場合に、実践されることが、実施形態のいずれかのさらなる１つの特徴である。上位レイヤシグナリングの１つの非限定的な実装形態は、ＬＴＥ  ＲＲＣシグナリングである。
【０１０５】
図１８は、いくつかの実施形態による、例示的な無線ネットワークコントローラまたはコアネットワークノードを示す。ネットワークノードの例は、移動通信交換局（ＭＳＣ）、サービングＧＰＲＳサポートノード（ＳＧＳＮ）、移動性管理エンティティ（ＭＭＥ）、無線ネットワークコントローラ（ＲＮＣ）、基地局コントローラ（ＢＳＣ）などを含むことができる。無線ネットワークコントローラまたはコアネットワークノード１８００は、プロセッサ１８２０と、メモリ１８３０と、ネットワークインターフェース１８４０とを含む。いくつかの実施形態では、プロセッサ１８２０は、ネットワークノードによって提供されるように上記で説明した機能の一部または全部を提供するための命令を実行し、メモリ１８３０は、プロセッサ１８２０によって実行される命令を記憶し、ネットワークインターフェース１８４０は、ゲートウェイ、スイッチ、ルーター、インターネット、公衆交換電話網（ＰＳＴＮ）、ネットワークノード１１５、無線ネットワークコントローラ、またはコアネットワークノード１８００などの、任意の好適なノードに信号を通信する。
【０１０６】
プロセッサ１８２０は、無線ネットワークコントローラまたはコアネットワークノード１８００の説明した機能の一部または全部を行うために、命令を実行し、データを処理するために１つまたは複数のモジュールに実装された、ハードウェアおよびソフトウェアの任意の好適な組合せを含んでもよい。いくつかの実施形態では、プロセッサ１８２０は、たとえば、１つもしくは複数のコンピュータ、１つもしくは複数の中央処理ユニット（ＣＰＵ）、１つもしくは複数のマイクロプロセッサ、１つもしくは複数のアプリケーション、および／または他の論理を含んでもよい。
【０１０７】
メモリ１８３０は、一般的に、論理、ルール、アルゴリズム、コード、テーブルなどの１つもしくは複数を含むコンピュータプログラム、ソフトウェア、アプリケーションなどの命令、および／またはプロセッサによって実行可能である他の命令を記憶するように動作可能である。メモリ１８３０の例は、コンピュータメモリ（たとえば、ランダムアクセスメモリ（ＲＡＭ）もしくは読取り専用メモリ（ＲＯＭ））、大容量記憶媒体（たとえば、ハードディスク）、リムーバブルストレージ媒体（たとえば、コンパクトディスク（ＣＤ）もしくはデジタルビデオディスク（ＤＶＤ））、ならびに／または、情報を記憶する、任意の他の揮発性もしくは不揮発性、非一時的コンピュータ可読および／もしくはコンピュータ実行可能メモリデバイスを含む。
【０１０８】
いくつかの実施形態では、ネットワークインターフェース１８４０が、プロセッサ１８２０に通信可能に結合され、ネットワークノードのための入力を受信すること、ネットワークノードからの出力を送ること、入力もしくは出力もしくは両方の好適な処理を行うこと、他のデバイスに通信すること、または前述の任意の組合せを行うように動作可能な任意の適切なデバイスを指してもよい。ネットワークインターフェース１８４０は、ネットワークを介して通信するために、プロトコル変換およびデータ処理能力を含む、適切なハードウェア（たとえば、ポート、モデム、ネットワークインターフェースカードなど）およびソフトウェアを含んでもよい。
【０１０９】
ネットワークノードの他の実施形態は、上記で説明した機能のいずれかおよび／または任意の追加の機能（上記で説明した解決策を支援するのに必要な任意の機能を含む）を含む、ネットワークノードの機能のいくつかの態様を実現することを担う場合がある図１８に示す構成要素以外に追加の構成要素を含んでもよい。
【０１１０】
以下は、本明細書において使用される場合がある頭字語のリストである。
ＣＡ  キャリアアグリゲーション
ＵＣＩ  アップリンク制御情報
ＰＵＣＣＨ  物理アップリンク制御チャネル
ＬＴＥ  ロングタームエボリューション
ＴＤＤ  時間領域複信
ＦＤＤ  周波数領域複信
ＵＬ  アップリンク
ＤＬ  ダウンリンク
ＵＥ  ユーザ機器
ＬＡＡ  ライセンス補助アクセス
ＴＰＣ  送信電力制御
ＤＣＩ  ダウンリンク制御情報
ＰＤＣＣＨ  物理ダウンリンク制御チャネル
ｅＰＤＣＣＨ  拡張物理ダウンリンク制御チャネル
ＤＡＩ  ダウンリンク割当てインデックス
ＨＡＲＱ  ハイブリッド自動再送要求
Ａｃｋ  確認応答
ＮＡＣＫ  否定ＡＣＫ
ｅＮＢ  発展型ノードＢ
【０１１１】
開示した主題は、様々な実施形態に関して上記で提示したが、開示した主題の全体的な範囲から逸脱することなく、記載した実施形態に形態および細部の様々な変更が行われる場合があることは理解されよう。
【図１】
2019523574.tif 000003
【図２】
2019523574.tif 000004
【図３】
2019523574.tif 000005
【図４】
2019523574.tif 000006
【図５】
2019523574.tif 000007
【図６】
2019523574.tif 000008
【図７】
2019523574.tif 000009
【図８】
2019523574.tif 000010
【図９】
2019523574.tif 000011
【図１０】
2019523574.tif 000012
【図１１】
2019523574.tif 000013
【図１２】
2019523574.tif 000014
【図１３】
2019523574.tif 000015
【図１４】
2019523574.tif 000016
【図１５】
2019523574.tif 000017
【図１６】
2019523574.tif 000018
【図１７】
2019523574.tif 000019
【図１８】
2019523574.tif 000020
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
ワイヤレス通信デバイスを動作させる方法であって、
ハイブリッド自動再送要求（ＨＡＲＱ）確認応答（ＨＡＲＱ−ＡＣＫ）ビットと一緒にチャネル状態情報（ＣＳＩ）ビットをチャネル符号化することと、
前記一緒に符号化されたＣＳＩおよびＨＡＲＱ−ＡＣＫビットを符号化されたデータビットとともに多重化することと、
前記多重化された、符号化されたＣＳＩおよびＨＡＲＱ−ＡＣＫビットならびに符号化されたデータビットを、物理アップリンク共有チャネル（ＰＵＳＣＨ）で送信することと
を含み、
前記ＣＳＩビットを前記ＨＡＲＱ−ＡＣＫビットと一緒にチャネル符号化することが、結合系列を生成するためにチャネル品質ビットの系列の終わりにＨＡＲＱ−ＡＣＫビットの系列を付加することと、前記結合系列をチャネル符号化することとを含み、
前記一緒に符号化されたＣＳＩおよびＨＡＲＱ−ＡＣＫビットを符号化されたデータビットとともに多重化することが、前記一緒に符号化されたＣＳＩおよびＨＡＲＱ−ＡＣＫビットを、前記ＰＵＳＣＨにおいてリソースエレメントの第１のセットで送信するために割り当て、その後前記ＰＵＳＣＨにおいてリソースエレメントの第２のセットで送信するために前記符号化されたデータビットを割り当てることを含み、ただし、リソースエレメントの前記第１および第２のセットが、同じリソースエレメントのいずれも含まず、前記割り当てることが、前記符号化されたＣＳＩおよびＨＡＲＱ−ＡＣＫビットがリソースエレメントの前記第１のセットに割り当てられ、前記符号化されたデータビットがリソースエレメントの前記第２のセットに割り当てられるように、前記符号化されたＣＳＩおよびＨＡＲＱ−ＡＣＫビットを前記符号化されたデータビットとともにインターリーブすることを含む、方法。
【請求項２】
前記ＣＳＩビットが、チャネル品質指示（ＣＱＩ）ビットを含む、請求項１に記載の方法。
【請求項３】
前記インターリーブすることが、ＨＡＲＱ−ＡＣＫビットがないものとして扱われるチャネルインターリービング手順を行うことを含む、請求項１に記載の方法。
【請求項４】
無線ネットワークノードから、前記割り当てが行われるべきであることを示す上位レイヤシグナリングを受信することと、
前記上位レイヤシグナリングに応答して前記割り当てを行うことと
をさらに含む、請求項１に記載の方法。
【請求項５】
前記多重化することが、物理ダウンリンク制御チャネル（ＰＤＣＣＨ）または拡張物理ダウンリンク制御チャネル（ｅＰＤＣＣＨ）シグナリングによってトリガされる、請求項１に記載の方法。
【請求項６】
ＨＡＲＱ−ＡＣＫビットまたは符号化されたＨＡＲＱ−ＡＣＫビットの数が、しきい値よりも大きいかどうかを決定することと、
前記決定の結果として、ＨＡＲＱ−ＡＣＫビットを前記ＣＳＩビットと一緒に前記チャネル符号化することを行うことと
をさらに含む、請求項１に記載の方法。
【請求項７】
前記しきい値が２２である、請求項６に記載の方法。
【請求項８】
ワイヤレス通信デバイス（１１０）であって、
ハイブリッド自動再送要求（ＨＡＲＱ）確認応答（ＨＡＲＱ−ＡＣＫ）ビットと一緒にチャネル状態情報（ＣＳＩ）ビットをチャネル符号化することと、
前記一緒に符号化されたＣＳＩおよびＨＡＲＱ−ＡＣＫビットを符号化されたデータビットとともに多重化することと、
前記多重化された、符号化されたＣＳＩおよびＨＡＲＱ−ＡＣＫビットならびに符号化されたデータビットを、物理アップリンク共有チャネル（ＰＵＳＣＨ）で送信することと
を行うように集合的に設定された、少なくとも１つのメモリ、少なくとも１つのプロセッサ、および少なくとも１つのトランシーバ
を含み、
前記ＣＳＩビットを前記ＨＡＲＱ−ＡＣＫビットと一緒にチャネル符号化することが、結合系列を生成するためにチャネル品質ビットの系列の終わりにＨＡＲＱ−ＡＣＫビットの系列を付加することと、前記結合系列をチャネル符号化することとを含み、
前記一緒に符号化されたＣＳＩおよびＨＡＲＱ−ＡＣＫビットを符号化されたデータビットとともに多重化することが、前記一緒に符号化されたＣＳＩおよびＨＡＲＱ−ＡＣＫビットを、前記ＰＵＳＣＨにおいてリソースエレメントの第１のセットで送信するために割り当て、その後前記ＰＵＳＣＨにおいてリソースエレメントの第２のセットで送信するために前記符号化されたデータビットを割り当てることを含み、ただし、リソースエレメントの前記第１および第２のセットが、同じリソースエレメントのいずれも含まず、前記割り当てることが、前記符号化されたＣＳＩおよびＨＡＲＱ−ＡＣＫビットがリソースエレメントの前記第１のセットに割り当てられ、前記符号化されたデータビットがリソースエレメントの前記第２のセットに割り当てられるように、前記符号化されたＣＳＩおよびＨＡＲＱ−ＡＣＫビットを前記符号化されたデータビットとともにインターリーブすることを含む、ワイヤレス通信デバイス。
【請求項９】
前記ＣＳＩビットが、チャネル品質指示（ＣＱＩ）ビットを含む、請求項８に記載のワイヤレス通信デバイス。
【請求項１０】
前記インターリーブすることが、ＨＡＲＱ−ＡＣＫビットがないものとして扱われるチャネルインターリービング手順を行うことを含む、請求項８に記載のワイヤレス通信デバイス。
【請求項１１】
前記少なくとも１つのメモリ、少なくとも１つのプロセッサ、および少なくとも１つのトランシーバが、無線ネットワークノードから、前記割り当てが行われるべきであることを示す上位レイヤシグナリングを受信し、前記上位レイヤシグナリングに応答して前記割り当てを行うように、さらに集合的に設定される、請求項８に記載のワイヤレス通信デバイス。
【請求項１２】
前記多重化することが、物理ダウンリンク制御チャネル（ＰＤＣＣＨ）または拡張物理ダウンリンク制御チャネル（ｅＰＤＣＣＨ）シグナリングによってトリガされる、請求項８に記載のワイヤレス通信デバイス。
【請求項１３】
前記少なくとも１つのメモリ、少なくとも１つのプロセッサ、および少なくとも１つのトランシーバが、ＨＡＲＱ−ＡＣＫビットまたは符号化されたＨＡＲＱ−ＡＣＫビットの数がしきい値よりも大きいかどうかを決定し、前記決定の結果として前記ＣＳＩビットと一緒にＨＡＲＱ−ＡＣＫビットを前記チャネル符号化することを行うように、さらに集合的に設定される、請求項８に記載のワイヤレス通信デバイス。
【請求項１４】
前記しきい値が２２である、請求項１３に記載のワイヤレス通信デバイス。
【請求項１５】
ワイヤレス通信デバイス（１１０）であって、
ハイブリッド自動再送要求（ＨＡＲＱ）確認応答（ＨＡＲＱ−ＡＣＫ）ビットと一緒にチャネル状態情報（ＣＳＩ）ビットをチャネル符号化することと、
前記一緒に符号化されたＣＳＩおよびＨＡＲＱ−ＡＣＫビットを符号化されたデータビットとともに多重化することと、
前記多重化された、符号化されたＣＳＩおよびＨＡＲＱ−ＡＣＫビットならびに符号化されたデータビットを、物理アップリンク共有チャネル（ＰＵＳＣＨ）で送信することと
を行うように集合的に設定された、少なくとも１つのメモリ、少なくとも１つのプロセッサ、および少なくとも１つのトランシーバ
を含み、
前記ＣＳＩビットを前記ＨＡＲＱ−ＡＣＫビットと一緒にチャネル符号化することが、結合系列を生成するためにチャネル品質ビットの系列の終わりにＨＡＲＱ−ＡＣＫビットの系列を付加することと、前記結合系列をチャネル符号化することとを含み、
前記一緒に符号化されたＣＳＩおよびＨＡＲＱ−ＡＣＫビットを符号化されたデータビットとともに多重化することが、前記一緒に符号化されたＣＳＩおよびＨＡＲＱ−ＡＣＫビットを、前記ＰＵＳＣＨにおいてリソースエレメントの第１のセットで送信するために割り当て、その後前記ＰＵＳＣＨにおいてリソースエレメントの第２のセットで送信するために前記符号化されたデータビットを割り当てることを含み、ただし、リソースエレメントの前記第１および第２のセットが、同じリソースエレメントのいずれも含まず、
前記少なくとも１つのメモリ、少なくとも１つのプロセッサ、および少なくとも１つのトランシーバが、無線ネットワークノードから、前記割り当てが行われるべきであることを示す上位レイヤシグナリングを受信し、前記上位レイヤシグナリングに応答して前記割り当てを行うように、さらに集合的に設定される、ワイヤレス通信デバイス。
【請求項１６】
ワイヤレス通信デバイス（１１０）であって、
ハイブリッド自動再送要求（ＨＡＲＱ）確認応答（ＨＡＲＱ−ＡＣＫ）ビットと一緒にチャネル状態情報（ＣＳＩ）ビットをチャネル符号化することと、
前記一緒に符号化されたＣＳＩおよびＨＡＲＱ−ＡＣＫビットを符号化されたデータビットとともに多重化することと、
前記多重化された、符号化されたＣＳＩおよびＨＡＲＱ−ＡＣＫビットならびに符号化されたデータビットを、物理アップリンク共有チャネル（ＰＵＳＣＨ）で送信することと
を行うように集合的に設定された、少なくとも１つのメモリ、少なくとも１つのプロセッサ、および少なくとも１つのトランシーバ
を含み、
前記ＣＳＩビットを前記ＨＡＲＱ−ＡＣＫビットと一緒にチャネル符号化することが、結合系列を生成するためにチャネル品質ビットの系列の終わりにＨＡＲＱ−ＡＣＫビットの系列を付加することと、前記結合系列をチャネル符号化することとを含み、
前記一緒に符号化されたＣＳＩおよびＨＡＲＱ−ＡＣＫビットを符号化されたデータビットとともに多重化することが、前記一緒に符号化されたＣＳＩおよびＨＡＲＱ−ＡＣＫビットを、前記ＰＵＳＣＨにおいてリソースエレメントの第１のセットで送信するために割り当て、その後前記ＰＵＳＣＨにおいてリソースエレメントの第２のセットで送信するために前記符号化されたデータビットを割り当てることを含み、ただし、リソースエレメントの前記第１および第２のセットが、同じリソースエレメントのいずれも含まず、
前記多重化することが、物理ダウンリンク制御チャネル（ＰＤＣＣＨ）または拡張物理ダウンリンク制御チャネル（ｅＰＤＣＣＨ）シグナリングによってトリガされる、ワイヤレス通信デバイス。
【請求項１７】
ワイヤレス通信デバイス（１１０）であって、
ハイブリッド自動再送要求（ＨＡＲＱ）確認応答（ＨＡＲＱ−ＡＣＫ）ビットと一緒にチャネル状態情報（ＣＳＩ）ビットをチャネル符号化することと、
前記一緒に符号化されたＣＳＩおよびＨＡＲＱ−ＡＣＫビットを符号化されたデータビットとともに多重化することと、
前記多重化された、符号化されたＣＳＩおよびＨＡＲＱ−ＡＣＫビットならびに符号化されたデータビットを、物理アップリンク共有チャネル（ＰＵＳＣＨ）で送信することと
を行うように集合的に設定された、少なくとも１つのメモリ、少なくとも１つのプロセッサ、および少なくとも１つのトランシーバ
を含み、
前記ＣＳＩビットを前記ＨＡＲＱ−ＡＣＫビットと一緒にチャネル符号化することが、結合系列を生成するためにチャネル品質ビットの系列の終わりにＨＡＲＱ−ＡＣＫビットの系列を付加することと、前記結合系列をチャネル符号化することとを含み、
前記一緒に符号化されたＣＳＩおよびＨＡＲＱ−ＡＣＫビットを符号化されたデータビットとともに多重化することが、前記一緒に符号化されたＣＳＩおよびＨＡＲＱ−ＡＣＫビットを、前記ＰＵＳＣＨにおいてリソースエレメントの第１のセットで送信するために割り当て、その後前記ＰＵＳＣＨにおいてリソースエレメントの第２のセットで送信するために前記符号化されたデータビットを割り当てることを含み、ただし、リソースエレメントの前記第１および第２のセットが、同じリソースエレメントのいずれも含まず、
前記少なくとも１つのメモリ、少なくとも１つのプロセッサ、および少なくとも１つのトランシーバが、ＨＡＲＱ−ＡＣＫビットまたは符号化されたＨＡＲＱ−ＡＣＫビットの数がしきい値よりも大きいかどうかを決定し、前記決定の結果として前記ＣＳＩビットと一緒にＨＡＲＱ−ＡＣＫビットを前記チャネル符号化することを行うように、さらに集合的に設定される、ワイヤレス通信デバイス。
【国際調査報告】
2019523574.tif 000021
2019523574.tif 000022
2019523574.tif 000023
2019523574.tif 000024
2019523574.tif 000025